(57)【要約】【課題】構造簡素で安定性に優れ、簡易に構成でき、全体をコンパクトに見栄えよく構成し得る間仕切り用スライドドア装置を提供する。【解決手段】間仕切り２の所要部位に設けられた出入口３をスライドドア５で開閉可能とする。スライドドア５は、２枚のドア単体６，６を以て構成され、相互が左右方向でスライド可能である。ドア単体６は、その上下の横框部材１０，１１の夫々が摺動溝１５を有する。摺動溝１５は、出入口側の前方面部１２を後方向に凹ませて設けられている。摺動溝１５に装着されている摺動部材１３に、取付部材１６の一端側の連結部１７が連結され、その他端側が間仕切りの後側の壁面に固定されている。ドア単体６の下部には戸車が設けられ、上下の摺動部材１０，１１が摺動することによりスライドドア５が、出入口３を閉じる方向に或いは開く方向にスライドできる。【選択図】図１
2015218527.tif 000002
【特許請求の範囲】
【請求項１】
間仕切りの所要部位に設けられた出入口が、１枚のドア単体を以て構成されたスライドドアで開閉可能となされた間仕切り用スライドドア装置であって、該出入口の幅方向を左右方向とし、該出入口の出入り方向を前後方向としたとき、
該出入口が開口された状態で、該スライドドアが、前記出入口の左右方向で見た一方側に存する一方側間仕切り部の後側に重なり合うようになされており、前記ドア単体を構成する上の横框部材と下の横框部材の夫々は、該出入口が存する側に面する前方面部に、摺動部材を分離不能の係合状態で左右方向で摺動させるための摺動溝が、該前方面部を後方向に凹ませて一体に設けられており、
該摺動溝に装着されている前記摺動部材には、取付部材の一端側の連結部が連結されており、該取付部材の他端側の固定部が前記一方側間仕切り部の後側の壁面に固定されており、
前記上下の摺動部材が前記上下の摺動溝を摺動することによって前記スライドドアが、前記出入口を閉じる方向に或いは開く方向にスライドできることを特徴とする間仕切り用スライドドア装置。
【請求項２】
間仕切りの所要部位に設けられた出入口が、１枚のドア単体を以て構成されたスライドドアで開閉可能となされた間仕切り用スライドドア装置であって、該出入口の幅方向を左右方向とし、該出入口の出入り方向を前後方向としたとき、
該出入口が開口された状態で、該スライドドアが、前記出入口の左右方向で見た一方側に存する一方側間仕切り部の後側に重なり合うようになされており、前記ドア単体を構成する上の横框部材と下の横框部材の夫々は、該出入口が存する側に面する前方面部に、摺動部材を分離不能の係合状態で左右方向で摺動させるための摺動溝が、該前方面部を後方向に凹ませて一体に設けられており、
該摺動溝に装着されている前記摺動部材には、取付部材の一端側の連結部が連結されており、該取付部材の他端側の固定部が前記一方側間仕切り部の後側の壁面に固定されており、
又前記スライドドアの下部には、床部に接して左右方向で移動可能な支持部材が設けられており、
前記上下の摺動部材が前記上下の摺動溝を摺動することによって前記スライドドアが、前記出入口を閉じる方向に或いは開く方向にスライドできることを特徴とする間仕切り用スライドドア装置。
【請求項３】
間仕切りの所要部位に設けられた出入口がスライドドアで開閉可能となされた間仕切り用スライドドア装置であって、該出入口の幅方向を左右方向とし、該出入口の出入り方向を前後方向としたとき、
該スライドドアは、複数枚のドア単体を以て構成され、左右隣り合う該ドア単体は、相互が左右方向でスライド可能に連結されており、前記出入口が開口された状態で、該複数枚のドア単体が、前記出入口の左右方向で見た一方側に存する一方側間仕切り部の後側に重なり合うようになされており、
各ドア単体は、これを構成する上の横框部材と下の横框部材の夫々が、前記出入口が存する側に面する前方面部に、摺動部材を分離不能の係合状態で左右方向で摺動させるための摺動溝が、該前方面部を後方向に凹ませて一体に設けられており、
該摺動溝に装着されている前記摺動部材には、取付部材の一端側の連結部が連結されており、
前記スライドドアの、端部に位置するドア単体に連結されている前記取付部材の他端側の固定部が、前記一方側間仕切り部の後側の壁面に固定される一方、左右隣り合うドア単体の内の前記出入口が存する側から遠いドア単体に連結されている前記取付部材の他端側の固定部は、前記出入口が存する側に近いドア単体の後面に固定されており、
又前記スライドドアの、少なくとも先頭に位置するドア単体の下部には、床部に接して左右方向で移動可能な支持部材が設けられており、
前記上下の摺動部材が前記上下の摺動溝を摺動することによって前記スライドドアが、前記出入口を閉じる方向に或いは開く方向に移動できることを特徴とする間仕切り用スライドドア装置。
【請求項４】
前記上下の横框部材に、前記摺動溝を正面側から覆うカバー片が装着されており、該カバー片と前記前方面部との間に収容間隙が設けられており、前記取付部材は、上部に連結部が設けられた後の取付片の下端と上部に固定部が設けられた前の取付片の下端とが繋ぎ片で連結されてなり、前記摺動溝に装着されている前記摺動部材に前記連結部が連結されて垂下状態にある前記後の取付片が前記収容間隙に収容されており、且つ前記繋ぎ片が前記カバー片に干渉しないことを特徴とする請求項１、２又は３記載の間仕切り用スライドドア装置。
【請求項５】
前記上下の横框部材に、前記摺動溝を正面側から覆うカバー片が左右方向でスライド可能に装着されており、該カバー片の、前記前方面部に向き合う後面の上部にスライド部が設けられており、該スライド部の上面と、前記上下の横框部材の前記前方面部の上部で前方に向けて突設された突出部の下面とが略当接状態となされており、該上面及び該下面の内の何れか一方に、入口が幅狭で且つ前記左右方向に延長する条溝としての第１の線状係合部が設けられると共に、その他方には、該条溝と前記左右方向でスライド可能に嵌合し得る突条としての第２の線状係合部が設けられており、
又前記スライド部の、前記前方面部に向き合う後面と、前記上下の横框部材の前記前方面部であって前記突出部の下方に位置する部分の前面とが略当接状態となされており、該後面及び該前面の何れか一方に、入口が幅狭で且つ左右方向に延長する条溝としての第３の線状係合部が設けられると共に、その他方には、該条溝と前記左右方向でスライド可能に嵌合し得る突条としての第４の線状係合部が設けられており、
又、前記スライド部の下端は、前記摺動溝の上縁に合致し或いは該上縁の上方部に位置されており、
又、前記カバー片の前記スライド部の下方に位置する下側部分と前記前方面部との間に収容間隙が設けられており、
又、該カバー片の両端は、前記ドア単体の左右両側に位置する左右の縦框部材に当接されて抜け止めされており、
前記取付部材は、上部に連結部が設けられた後の取付片の下端と上部に固定部が設けられた前の取付片の下端とが繋ぎ片で連結されてなり、前記摺動溝に装着されている前記摺動部材に前記連結部が連結されて垂下状態にある前記後の取付片が前記収容間隙に収容されており、且つ前記繋ぎ片が前記カバー片に干渉しないことを特徴とする請求項１、２又は３記載の間仕切り用スライドドア装置。
【請求項６】
請求項１、２又は３記載の間仕切り用スライドドア装置を構成するドア単体であって、上の横框部材と下の横框部材の夫々は、前記出入口が存する側に面する前方面部に、摺動部材を分離不能の係合状態で左右方向で摺動させるための摺動溝が、該前方面部を後方向に凹ませて一体に設けられていることを特徴とする間仕切り用スライドドア装置構成用ドア単体。
【請求項７】
請求項１、２又は３記載の間仕切り用スライドドア装置を構成するドア単体であって、上の横框部材と下の横框部材の夫々は、前記出入口が存する側に面する前方面部に、摺動部材を分離不能の係合状態で左右方向で摺動させるための摺動溝が、該前方面部を後方向に凹ませて一体に設けられており、又、該上下の横框部材には、該摺動溝を正面側から覆うカバー片が装着されており、該カバー片と前記前方面部との間に収容間隙が設けられており、前記取付部材は、上部に連結部が設けられた後の取付片の下端と上部に固定部が設けられた前の取付片の下端とが繋ぎ片で連結されてなり、前記摺動溝に装着されている前記摺動部材に前記連結部が連結されて垂下状態にある前記後の取付片が前記収容間隙に収容されており、且つ前記繋ぎ片が前記カバー片に干渉しないことを特徴とする間仕切り用スライドドア装置構成用ドア単体。
【請求項８】
請求項１、２又は３記載の間仕切り用スライドドア装置を構成するドア単体であって、上の横框部材と下の横框部材の夫々は、前記出入口が存する側に面する前方面部に、摺動部材を分離不能の係合状態で左右方向で摺動させるための摺動溝が、該前方面部を後方向に凹ませて一体に形成されており、
又、前記上下の横框部材には、該摺動溝を正面側から覆うカバー片が前記左右方向でスライド可能に装着されており、該カバー片の、前記前方面部に向き合う後面の上部にスライド部が設けられており、該スライド部の上面と、前記上下の框部材の前記前方面部の上部で前方に向けて突設された突出部の下面とが略当接状態となされており、該上面及び該下面の内の何れか一方に、入口が幅狭で且つ前記左右方向に延長する条溝としての第１の線状係合部が設けられると共に、その他方には、該条溝と前記左右方向でスライド可能に嵌合し得る突条としての第２の線状係合部が設けられており、
又前記スライド部の、前記前方面部に向き合う後面と、前記上下の横框部材の前記前方面部であって前記突出部の下方に位置する部分の前面とが略当接状態となされており、該内面及び該外面の何れか一方に、入口が幅狭で且つ左右方向に延長する条溝としての第３の線状係合部が設けられると共に、その他方には、該条溝と前記左右方向でスライド可能に嵌合し得る突条としての第４の線状係合部が設けられており、
該カバー片の前記スライド部の下方に位置する下側部分と前記前方面部との間に収容間隙が設けられており、
又、該カバー片の両端は、前記ドア単体の左右両側に位置する左右の縦框部材に当接されて抜け止めされており、
前記取付部材は、上部に連結部が設けられた後の取付片の下端と上部に固定部が設けられた前の取付片の下端とが繋ぎ片で連結されてなり、前記摺動溝に装着されている前記摺動部材に前記連結部が連結されて垂下状態にある前記後の取付片が前記収容間隙に収容されており、且つ前記繋ぎ片が前記カバー片に干渉しないことを特徴とする間仕切り用スライドドア装置構成用ドア単体。
【請求項９】
間仕切りの所要部位に設けられた出入口を、その幅方向としての左右方向でスライド可能に開閉するスライドドアのドア単体を構成する框部材であって、
前記出入口が存する側に面する前方面部に、摺動部材を左右方向で、分離不能の係合状態で摺動させるための摺動溝が、該前方面部を後方向に凹ませて一体に設けられていることを特徴とする框部材。
【発明の詳細な説明】
【技術分野】
【０００１】
本発明は、ローパ−ティション等としての間仕切りに設けた出入口をスライドドアで開閉可能となされた間仕切り用スライドドア装置に関し、又、これを構成する間仕切り用スライドドア装置構成用ドア単体並びに框部材に関するものである。
【背景技術】
【０００２】
比較的大きなオフィース空間の一部を仕切って個別の空間を形成して会議室や打合せ室、金融機関等における相談室等を構成するために、背丈の低いパネルで構成されるローパ−ティションが多用されている。
【０００３】
かかるローパ−ティションで形成された区画空間の出入口は解放状態とされることも多いが、該出入口から区画空間の内部が丸見えとなるのを防止するために該出入口をスライドドアで開閉可能とすることも行われている。
【０００４】
特許文献１記載のローパ−ティション用のスライドドア装置ａはかかる要求に応えんとするものであった。該スライドドア装置ａは図３６に示すように、ローパ−ティションｂを構成するパネルｃの上下部の表面ｄ，ｅに別体のパネル側レールｆ，ｆが固定されると共に、スライドドアｇの上下部の表面ｈ，ｊに別体のドア側レールｋ，ｋが固定されており、向き合うパネル側レールｆとドア側レールｋとが、球体ｍを介して中レールｎに組み合わされていた。そして、図３７（Ａ）に示すように出入口ｐが開口している状態から、図３７（Ｂ）に示すように出入口ｐを閉じた状態とする場合は、該スライドドアｇを、前記ドア側レールｋと共に前記球体ｍを介してスライドさせる。該スライドドアｇがこのようにスライドして、前記ドア側レールｋが前記中レールｎの先端に当たると、該中レールｎが該ドア側レールｋに引っ張られてスライドでき、これによって該スライドドアｇが前記出入口ｐを閉じるようになされていた。
【０００５】
しかしながら、かかる構成のスライドドアｇを用いてなるスライドドア装置ａによるときは、前記パネル側レールｆと前記ドア側レールｋと前記中レールｎとからなるスライド構造部ｑの全体が前記パネルｃと前記スライドドアｇとの間に存在していたため、図３８に示すように、該スライドドアｇの基部側の部分ｒと前記パネルｃの端部側の部分ｓとの間に比較的大きな隙間ｔが生ずることとなり、この隙間ｔを通して内部が見える恐れもあって好ましくなかった。
【０００６】
又該スライド構造部ｑが、前記出入口ｐの幅方向で見て幅広であったことから、スライドドアが占める該幅方向のスペースが大きくなってスペースが無駄に使われる問題があった。加えて、前記スライド構造部ｑが前記パネルｃの表面ｄ，ｅ及び前記スライドドアｇの表面ｈ，ｊで大きく突出しているために該スライド構造部ｑの見栄えが悪く、それ故、前記出入口部分の見栄えが悪い問題があった。
【０００７】
又、前記パネル側レールｆをパネルｃに取り付け、且つ、前記ドア側レールｋをスライドドアｇに取り付ける必要があり、その際、これらを正確に位置決めしてビスやボルト等を用いて取り付けなければならないために、スライドドア装置の構成に手間を要して施工能率が悪く、又、スライドドア装置のコスト上昇を招く問題があった。
【０００８】
更に、前記スライド構造部ｑが剥き出しの状態にあったため、スライドドアｇの開閉操作中においてスライド部分に手指が挟まる等の危険があった他、スライド構造部ｑが埃等で汚れやすい問題もあった。
【先行技術文献】
【特許文献】
【０００９】
【特許文献１】特開２００８−７９４２号公報
【発明の概要】
【発明が解決しようとする課題】
【００１０】
本発明は前記従来の問題点に鑑みて開発されたものであり、構造簡素で安定性に優れ、簡易に構成でき、しかも全体をコンパクトに見栄えよく構成し得る間仕切り用スライドドア装置の提供を課題とするものであり、又、これを構成するに好適なドア単体、框部材の提供を課題とするものである。
【課題を解決するための手段】
【００１１】
前記課題を解決するため本発明は以下の手段を採用する。
即ち本発明に係る間仕切り用スライドドア装置の第１の態様は、間仕切りの所要部位に設けられた出入口が、１枚のドア単体を以て構成されたスライドドアで開閉可能となされた間仕切り用スライドドア装置であって、該出入口の幅方向を左右方向とし、該出入口の出入り方向を前後方向としたとき、該出入口が開口された状態で、該スライドドアが、前記出入口の左右方向で見た一方側に存する一方側間仕切り部の後側に重なり合うようになされており、前記ドア単体を構成する上の横框部材と下の横框部材の夫々は、該出入口が存する側に面する前方面部に、摺動部材を分離不能の係合状態で左右方向で摺動させるための摺動溝が、該前方面部を後方向に凹ませて一体に設けられている。そして、該摺動溝に装着されている前記摺動部材には、取付部材の一端側の連結部が連結されており、該取付部材の他端側の固定部が前記一方側間仕切り部の後側の壁面に固定されており、前記上下の摺動部材が前記上下の摺動溝を摺動することによって前記スライドドアが、前記出入口を閉じる方向に或いは開く方向にスライドできることを特徴とするものである。
【００１２】
本発明に係る間仕切り用スライドドア装置の第２の態様は、間仕切りの所要部位に設けられた出入口が、１枚のドア単体を以て構成されたスライドドアで開閉可能となされた間仕切り用スライドドア装置であって、該出入口の幅方向を左右方向とし、該出入口の出入り方向を前後方向としたとき、該出入口が開口された状態で、該スライドドアが、前記出入口の左右方向で見た一方側に存する一方側間仕切り部の後側に重なり合うようになされており、前記ドア単体を構成する上の横框部材と下の横框部材の夫々は、該出入口が存する側に面する前方面部に、摺動部材を分離不能の係合状態で左右方向で摺動させるための摺動溝が、該前方面部を後方向に凹ませて一体に設けられている。そして、該摺動溝に装着されている前記摺動部材には、取付部材の一端側の連結部が連結されており、該取付部材の他端側の固定部が前記一方側間仕切り部の後側の壁面に固定されており、又前記スライドドアの下部には、床部に接して左右方向で移動可能な支持部材が設けられており、前記上下の摺動部材が前記上下の摺動溝を摺動することによって前記スライドドアが、前記出入口を閉じる方向に或いは開く方向にスライドできることを特徴とするものである。
【００１３】
本発明に係る間仕切り用スライドドア装置の第３の態様は、間仕切りの所要部位に設けられた出入口がスライドドアで開閉可能となされた間仕切り用スライドドア装置であって、該出入口の幅方向を左右方向とし、該出入口の出入り方向を前後方向としたとき、該スライドドアは、複数枚のドア単体を以て構成され、左右隣り合う該ドア単体は、相互が左右方向でスライド可能に連結されており、前記出入口が開口された状態で、該複数枚のドア単体が、前記出入口の左右方向で見た一方側に存する一方側間仕切り部の後側に重なり合うようになされており、各ドア単体は、これを構成する上の横框部材と下の横框部材の夫々が、前記出入口が存する側に面する前方面部に、摺動部材を分離不能の係合状態で左右方向で摺動させるための摺動溝が、該前方面部を後方向に凹ませて一体に設けられている。そして、該摺動溝に装着されている前記摺動部材には、取付部材の一端側の連結部が連結されており、前記スライドドアの、端部に位置するドア単体に連結されている前記取付部材の他端側の固定部が、前記一方側間仕切り部の後側の壁面に固定される一方、左右隣り合うドア単体の内の前記出入口が存する側から遠いドア単体に連結されている前記取付部材の他端側の固定部は、前記出入口が存する側に近いドア単体の後面に固定されている。又前記スライドドアの、少なくとも先頭に位置するドア単体の下部には、床部に接して左右方向で移動可能な支持部材が設けられており、前記上下の摺動部材が前記上下の摺動溝を摺動することによって前記スライドドアが、前記出入口を閉じる方向に或いは開く方向に移動できることを特徴とするものである。
【００１４】
前記第１、第２、第３の態様において、前記上下の横框部材に、前記摺動溝を正面側から覆うカバー片が装着されたものとし、該カバー片と前記前方面部との間に収容間隙が設けられたものとし、前記取付部材は、上部に連結部が設けられた後の取付片の下端と上部に固定部が設けられた前の取付片の下端とが繋ぎ片で連結されたものとし、前記摺動溝に装着されている前記摺動部材に前記連結部が連結されて垂下状態にある前記後の取付片が前記収容間隙に収容され、且つ前記繋ぎ片が前記カバー片に干渉しないように構成するのがよい。
【００１５】
本発明に係る間仕切り用スライドドア装置は、前記第１、第２、第３の態様において、下記構成を有するものとして構成するのがよい。即ち、前記上下の横框部材に、前記摺動溝を正面側から覆うカバー片が左右方向でスライド可能に装着されており、該カバー片の、前記前方面部に向き合う後面の上部にスライド部が設けられており、該スライド部の上面と、前記上下の横框部材の前記前方面部の上部で前方に向けて突設された突出部の下面とが略当接状態となされており、該上面及び該下面の内の何れか一方に、入口が幅狭で且つ前記左右方向に延長する条溝としての第１の線状係合部が設けられると共に、その他方には、該条溝と前記左右方向でスライド可能に嵌合し得る突条としての第２の線状係合部が設けられており、又前記スライド部の、前記前方面部に向き合う後面と、前記上下の横框部材の前記前方面部であって前記突出部の下方に位置する部分の前面とが略当接状態となされており、該後面及び該前面の何れか一方に、入口が幅狭で且つ左右方向に延長する条溝としての第３の線状係合部が設けられると共に、その他方には、該条溝と前記左右方向でスライド可能に嵌合し得る突条としての第４の線状係合部が設けられたものとし、又、前記スライド部の下端は、前記摺動溝の上縁に合致し或いは該上縁の上方部に位置されており、又、前記カバー片の前記スライド部の下方に位置する下側部分と前記前方面部との間に収容間隙が設けられており、又、該カバー片の両端は、前記ドア単体の左右両側に位置する左右の縦框部材に当接されて抜け止めされたものとし、前記取付部材は、上部に連結部が設けられた後の取付片の下端と上部に固定部が設けられた前の取付片の下端とが繋ぎ片で連結されてなり、前記摺動溝に装着されている前記摺動部材に前記連結部が連結されて垂下状態にある前記後の取付片が前記収容間隙に収容されており、且つ前記繋ぎ片が前記カバー片に干渉しないように構成するのがよい。
【００１６】
本発明に係る間仕切り用スライドドア装置構成用ドア単体は、前記第１、第２、第３の態様に係る間仕切り用スライドドア装置を構成するドア単体であって、上の横框部材と下の横框部材の夫々は、前記出入口が存する側に面する前方面部に、摺動部材を分離不能の係合状態で左右方向で摺動させるための摺動溝が、該前方面部を後方向に凹ませて一体に設けられていることを特徴とするものである。
【００１７】
本発明に係る間仕切り用スライドドア装置構成用ドア単体の他の態様は、前記第１、第２、第３の態様に係る間仕切り用スライドドア装置を構成するドア単体であって、上の横框部材と下の横框部材の夫々は、前記出入口が存する側に面する前方面部に、摺動部材を分離不能の係合状態で左右方向で摺動させるための摺動溝が、該前方面部を後方向に凹ませて一体に設けられており、又、該上下の横框部材には、該摺動溝を正面側から覆うカバー片が装着されており、該カバー片と前記前方面部との間に収容間隙が設けられており、前記取付部材は、上部に連結部が設けられた後の取付片の下端と上部に固定部が設けられた前の取付片の下端とが繋ぎ片で連結されてなり、前記摺動溝に装着されている前記摺動部材に前記連結部が連結されて垂下状態にある前記後の取付片が前記収容間隙に収容されており、且つ前記繋ぎ片が前記カバー片に干渉しないことを特徴とするものである。
【００１８】
本発明に係る間仕切り用スライドドア装置構成用ドア単体の他の態様は、前記第１、第２、第３の態様に係る間仕切り用スライドドア装置を構成するドア単体であって、上の横框部材と下の横框部材の夫々は、前記出入口が存する側に面する前方面部に、摺動部材を分離不能の係合状態で左右方向で摺動させるための摺動溝が、該前方面部を後方向に凹ませて一体に形成されている。そして、前記上下の横框部材には、該摺動溝を正面側から覆うカバー片が前記左右方向でスライド可能に装着されており、該カバー片の、前記前方面部に向き合う後面の上部にスライド部が設けられており、該スライド部の上面と、前記上下の框部材の前記前方面部の上部で前方に向けて突設された突出部の下面とが略当接状態となされており、該上面及び該下面の内の何れか一方に、入口が幅狭で且つ前記左右方向に延長する条溝としての第１の線状係合部が設けられると共に、その他方には、該条溝と前記左右方向でスライド可能に嵌合し得る突条としての第２の線状係合部が設けられている。又前記スライド部の、前記前方面部に向き合う後面と、前記上下の横框部材の前記前方面部であって前記突出部の下方に位置する部分の前面とが略当接状態となされており、該内面及び該外面の何れか一方に、入口が幅狭で且つ左右方向に延長する条溝としての第３の線状係合部が設けられると共に、その他方には、該条溝と前記左右方向でスライド可能に嵌合し得る突条としての第４の線状係合部が設けられており、該カバー片の前記スライド部の下方に位置する下側部分と前記前方面部との間に収容間隙が設けられており、又、該カバー片の両端は、前記ドア単体の左右両側に位置する左右の縦框部材に当接されて抜け止めされており、前記取付部材は、上部に連結部が設けられた後の取付片の下端と上部に固定部が設けられた前の取付片の下端とが繋ぎ片で連結されてなり、前記摺動溝に装着されている前記摺動部材に前記連結部が連結されて垂下状態にある前記後の取付片が前記収容間隙に収容されており、且つ前記繋ぎ片が前記カバー片に干渉しないを特徴とするものである。
【００１９】
本発明に係る框部材は、間仕切りの所要部位に設けられた出入口を、その幅方向としての左右方向でスライド可能に開閉するスライドドアのドア単体を構成する框部材であって、前記出入口が存する側に面する前方面部に、摺動部材を左右方向で、分離不能の係合状態で摺動させるための摺動溝が、該前方面部を後方向に凹ませて一体に設けられていることを特徴とするものである。
【発明の効果】
【００２０】
本発明は以下の如き優れた効果を奏する。
(1) 本発明に係るスライドドア装置は、これを構成するドア単体の上下の横框部材の夫々が、間仕切りの所要部位に設けられた出入口の存する側に面する前方面部に、摺動部材を摺動させるための摺動溝が、該前方面部を後方向に凹ませて一体に設けられている。
そのため、パネル側レールとドア側レールを間仕切りやスライドドアに後付けする特許文献１記載のスライドドア装置における場合とは異なり、これらの特別な部品を必要とせず、又、これらを所要に位置決めしてビス固定やボルト固定等する作業が不要となる。従って本発明によるときは、スライドドア装置の構造を簡素化でき、生産性向上と製造コストの低減を期し得ることとなる。
【００２１】
(2) 又、摺動溝が前記前方面部を後方向に凹ませて一体に設けられていることから、特別な部品を間仕切りやスライドドアの表面で突設する場合に比し、間仕切りと端部のドア単体との間の間隙を小さく設定でき、又、前後隣り合うドア単体間の間隙を小さく設定できる。かかることから、上下の横框部材が摺動溝を具えるにも拘らず、前記出入口の出入り方向で見たスライドドア装置の全体厚さをより小さく設定できることとなる。かかることから、スライドドア装置の全体をコンパクトに見栄えよく構成でき、省スペース化を達成できる。
【００２２】
又、前記スライドドアが前記出入口を閉じた状態において、該スライドドアが複数枚のドア単体からなるときは、端部に位置するドア単体の戸尻側部分と前記間仕切りの後側の壁面との間の間隙を小さくできると共に、前後方向で隣り合うドア単体の戸先側部分と戸尻側部分との間の間隙も小さくできる。又、該スライドドアが１枚のドア単体からなるときは、該ドア単体の戸尻側部分と前記間仕切りの後側の壁面との間の間隙を小さくできる。かかることから、該スライドドア装置を、例えば金融相談室の区画空間に設けられる出入口に応用した場合、特許文献１における場合とは異なり、該間隙を通して区画空間の内部が見えにくい利点がある。
【００２３】
(3) 又本発明に係るスライドドア装置が、前記スライドドアが複数枚のドア単体からなるときは、ドア単体を構成する上下の横框部材が前記取付部材を介して前記間仕切りの後側の壁面、前記出入口により近いドア単体の後面に支持されており、且つ、スライドドアの少なくとも先頭に位置するドア単体の下部に、床部に接して左右方向で移動可能な支持部材が設けられている。従ってこの場合は、前記出入口の上端が開放状態にあってスライドドアの上端がフリ−の状態にあるにも拘わらず、スライドドアは、前記出入口を閉じる方向に或いは開く方向に安定的にスライドできる。
【００２４】
前記スライドドアが１枚のドア単体からなるときも、ドア単体を構成する上下の横框部材が前記取付部材を介して前記間仕切りの後側の壁面、前記出入口により近いドア単体の後面に支持されているため、同様に、該スライドドアは、前記出入口を閉じる方向に或いは開く方向に安定的にスライドできる。１枚のドア単体を以てスライドドアが構成されるときは、該スライドドアが比較的軽量であるためにかかる安定的なスライドが可能となるのであるが、１枚のドア単体を以てスライドドアを構成する場合において、該スライドドアの下部に、床部に接して左右方向で移動可能な支持部材を設けるときは、一層安定的なスライドが可能となる。
【００２５】
(4) 前記ドア単体の有する上下の框部材に、前記摺動溝を正面側から覆うカバ−片を装着することとし、該カバ−片と前記前方面部との間に収容間隙を設ける構成を採用する場合は、前記摺動溝を摺動する摺動部材に手指が挟まる恐れがなく安全であり、又、該摺動溝に埃等が付着するのを防止できると共に、該摺動部材の摺動状態が前記カバ−片に覆い隠されて目視不能となるため、摺動構造部分の見栄えを向上させ得る。そしてこれらのことを、摺動部材の摺動動作を何ら阻害することなく実現できる。
【００２６】
(5) 前記カバー片を、前記第１、第２の線状係合部を前記左右方向でスライド可能に嵌合させ且つ、前記第３、第４の線状係合部を左右方向でスライド可能に嵌合させて前記上下の横框部材に装着することにより、該カバー片を該上下の横框部材に安定状態で簡易に装着できる。そしてこの際、前記カバ−片の両端が、前記ドア単体の左右両側に位置する左右の縦框部材に当接されて抜け止めされるように構成することにより、該カバ−片を、何らビス固定等することなく、上下の横框部材に簡易且つ確実に固定状態となし得、しかも、ビス等の固定手段を用いないためカバー片の美観を損なうこともない。
【００２７】
(6) 本発明に係るドア単体、框部材は、前記優れた効果を奏するスライドドア装置を構成できる。
【図面の簡単な説明】
【００２８】
【図１】本発明に係るスライド装置を、スライドドアが出入口を閉じた状態と開いた状態で示す斜視図である。
【図２】スライドドアが出入口を開いた状態で示す斜視図である。
【図３】スライドドアを示す斜視図である。
【図４】スライドドアを構成するドア単体の構成を示す斜視図である。
【図５】スライドドア装置を説明する断面図である。
【図６】上の横框部材と、摺動部材と、カバ−片と、取付部材を示す斜視図である。
【図７】上の横框部材に摺動部材とカバ−片を装着すると共に、該摺動部材に取付部材を連結した状態を示す断面図である。
【図８】下の横框部材と、摺動部材と、カバ−片と、取付部材を示す斜視図である。
【図９】下の横框部材に摺動部材とカバ−片を装着すると共に、該摺動部材に取付部材を連結した状態を示す断面図である。
【図１０】上の横框部材の右の端部分と右の縦框部材の上の端部分の構成を示す斜視図と、該右の端部分と上の端部分とを嵌め合わせて連結した状態を示す斜視図である。
【図１１】上の横框部材の左の端部分と左の横框部材の上の端部分の構成を示す斜視図と、該左の端部分と該上の端部分とを嵌め合わせて連結した状態を示す斜視図である。
【図１２】上の横框部材の摺動溝に装着されている２個の摺動部材に対して取付部材の連結部を連結し、然る後に該連結部分をカバ−片で覆う工程を説明する斜視図である。
【図１３】下の横框部材の摺動溝に装着されている１個の摺動部材に取付部材の連結部を連結し、該連結部分をカバ−片で覆う工程を説明する斜視図である。
【図１４】前のドア単体において、その摺動溝を摺動する摺動部材の摺動範囲と、カバ−片の抜け止め作用を説明する断面図である。
【図１５】後のドア単体において、その摺動溝を摺動する摺動部材の移動範囲と、カバ−片の抜け止め作用を説明する断面図である。
【図１６】前のドア単体において、カバ−片の抜け止め作用を説明する断面図である。
【図１７】後のドア単体において、カバ−片の抜け止め作用を説明する説明図である。
【図１８】前後のドア単体を取付部材を介して連結すると共に前のドア単体を一方側間仕切り部の後側の壁面に固定した状態を示す平面図である。
【図１９】前のドア単体の上下の横框部材を取付部材を介して、一方側間仕切り部の後側の壁面の上下部位に固定した状態と、後のドア単体の上下の横框部材を取付部材を介して、前のドア単体の後面の上下部位に固定した状態を示す断面図である。
【図２０】出入口をスライドドアで閉じる操作を説明する説明図である。
【図２１】その場合において、上の摺動部材がストッパ部に当接した状態を示す説明図である。
【図２２】出入口を開く操作を説明する説明図である。
【図２３】その場合における上の摺動部材とストッパ部との当接状態を説明する説明図である。
【図２４】ハイパ−ティションを用いて構成された間仕切りを構成する引戸の内の１枚を開いて形成された開口部を示す正面図と、その開口部の下側部分をなす出入口にスライドドア装置を設けて該出入口をスライドドアで閉じた状態を示す正面図である。
【図２５】前記出入口をスライドドアで閉じた状態を示す斜視図である。
【図２６】その出入口をスライドドアで閉じた状態と該出入口を開いた状態を示す平面図である。
【図２７】出入口の左右の端部側の夫々にスライドドアを設けて構成されたスライドドア装置を、スライドドアが出入口を開いた状態と閉じた状態で示す正面図である。
【図２８】１枚のドア単体を以てなるスライドドアを用いて構成されたスライドドア装置を、出入口を閉じた状態と開いた状態で示す斜視図である。
【図２９】１枚のドア単体を以てなるスライドドアが出入口の両側に取り付けられてなるスライドドア装置を、該出入口が開いた状態と閉じた状態で示す正面図である。
【図３０】３枚のドア単体を以てなるスライドドアを用いて構成されたスライドドア装置を、出入口を開いた状態と閉じた状態で示す正面図である。
【図３１】その平面図である。
【図３２】摺動部材を摺動溝に対して分離不能の係合状態とした他の構成を示す斜視図と断面図である。
【図３３】突条としての第２の線状係合部と第４の線状係合部を前記スライド部に設けた場合を示す断面図である。
【図３４】前後を逆にして構成されたスライドドア装置を、出入口を開いた状態と閉じた状態で示す正面図である。
【図３５】上下の横框部材の前方面部の両端側において、該前方面部とカバ−片との間にスポンジ片を圧縮状態で介在させる場合を説明する斜視図と断面図である。
【図３６】従来のスライドドア装置を説明する側面図である。
【図３７】該スライドドア装置のスライドドアが開放部を開いた状態と閉じた状態を示す平面図である。
【図３８】スライドドアが開口部を閉じた状態において発生する、スライドドアの基部側の部分とパネルの端部側の部分との間に生じた比較的大きな間隙を示す断面図である。
【発明を実施するための形態】
【実施例１】
【００２９】
図１において本発明に係る間仕切り用スライドドア装置（以下、スライドドア装置という）１は、間仕切り２の所要部位に設けられた出入口３が、スライドドア５で開閉可能となされている。本実施例において、該出入口３の幅方向を左右方向Ｆ１とし、図１において向って左側を左、右側を右とする。又、該出入口３の出入方向を前後方向Ｆ２とし、図１において出入口に面する側を前、その逆側を後とする。
【００３０】
前記スライドドア５は、図１〜３に示すように、２枚のドア単体６，６を以て構成され、左右隣り合う該ドア単体６，６は、相互が左右方向Ｆ１でスライド可能に連結されており、前記出入口３が開口された状態で、該２枚のドア単体６，６が、前記出入口３の左右方向Ｆ１で見た一方側（図１においては左側）に存する一方側間仕切り部７の後側９に重なり合うようになされている。
【００３１】
各ドア単体６，６は、図４〜７に示すように、これを構成する上の横框部材１０と下の横框部材１１の夫々が、前記出入口３に面する前方面部１２に、摺動部材１３を分離不能の係合状態で左右方向Ｆ１で摺動させるための摺動溝１５が、該前方面部１２を後方向に凹ませて一体に設けられており、該摺動溝１５に装着されている前記摺動部材１３には、取付部材１６の一端側の連結部１７が連結される。
【００３２】
又、前記スライドドアの、左右隣り合うドア単体６，６の内の前記出入口３が存する側に近いドア単体６ａに連結されている前記取付部材１６の他端側の固定部２０が、図５に示すように、前記一方側間仕切り部７の後側の壁面２１に固定される一方、左右隣り合うドア単体６，６の内の前記出入口３が存する側から遠いドア単体６ｂに連結されている前記取付部材１６の他端側の固定部２０は、前記出入口３が存する側に近い該ドア単体６ａの後面２２に固定されている。
【００３３】
又前記スライドドア５の、少なくとも先頭に位置するドア単体６ｂの下部２４には、図３〜５に示すように、床部２３に接して左右方向で移動可能な支持部材２５が設けられている。そして、前記上下の摺動部材１３，１３が前記上下の摺動溝１５，１５を摺動することによって前記スライドドア５が、前記出入口３を閉じる方向に或いは開く方向に移動（相対的な移動）できるようになされている。
【００３４】
又、前記上下の框部材１０，１１には、図３〜７に示すように、前記摺動溝１５を正面側から覆うカバー片１９が前記左右方向Ｆ１でスライド可能に装着されており、該カバー片１９の、前記前方面部１２に向き合う後面７９（図６）の上部にスライド部８０（図５〜７）が設けられている。そして図６〜７に示すように、該スライド部８０の上面８１と、前記上下の框部材１０，１１の前記前方面部１２，１２の上部分で前方に向けて突設された突出部５０の下面６８とが略当接状態となされており、該上面８１と該下面６８の内の何れか一方に、入口が幅狭で且つ左右方向Ｆ１に延長する条溝８２ａとしての第１の線状係合部８２が設けられると共に、その他方には、該条溝８２ａと略密接状態で前記左右方向Ｆ１でスライド可能に嵌合し得る突条６９ａとしての第２の線状係合部６９が設けられている。
【００３５】
又、前記スライド部８０の、前記前方面部１２に向き合う後面８３と、前記上下の框部材１０，１１の前記前方面部１２であって前記突出部５０の下方に位置する部分の前面５１とが略当接状態となされており、該後面８３及び該前面５１の何れか一方に、入口が幅狭で且つ左右方向Ｆ１に延長する条溝８５ａとしての第３の線状係合部８５が設けられると共に、その他方には、該条溝８５ａと略密接状態で前記左右方向Ｆ１でスライド可能に嵌合し得る突条７０ａとしての第４の線状係合部７０が設けられている。
【００３６】
これをより具体的に説明すれば次の通りである。即ち、前記間仕切り２は本実施例においては図１〜２に示すように、比較的大きなオフィース空間の一部を仕切って個別の区画空間２６を形成して会議室や打合せ室、金融機関等における相談室等を構成するためのローパ−ティション２７として構成されている。本実施例において該ローパ−ティション２７は、例えば１４００ｍｍ程度の背丈の低いパネルで構成されており、その所要部位に設けられた出入口３の上端２８は解放されている。そのため、該区画空間２６に、該出入口３を通して人が障害なく移動できる。
【００３７】
該出入口３を開閉可能とする前記スライドドア５は、図１〜２に示すように２枚のドア単体６，６を以て構成されており、左右隣り合うドア単体６，６相互は、左右方向Ｆ１でスライド可能に連結されている。該ドア単体６，６は図４に示すように、左右の縦框部材２９，３０の上の端部分３１，３１間と下の端部分３２，３２間に前記上下の横框部材１０，１１が配置されて全体が矩形状に枠組されると共に、枠組３３で区画された開口部を覆う面材３６の縁部分３７が、図５に示すように、該枠組３３の内周面部の周方向に設けられた嵌入固定溝３９に嵌入されてパッキン４０を介して固定されることによって構成されている。
【００３８】
そして図４と、後のドア単体６ｂに係る図８〜９、図１０〜１１、図１２〜１３に示すように、前記上下の横框部材１０，１１と前記左右の縦框部材２９，３０は、例えばアルミニウム押出形材を以て構成されており、全体として角筒状を呈している。このように枠組みする際、前記上下の横框部材１０，１１の接合端部分３８と前記左右の縦框部材２９，３０の接合端部分４４とは、所要に欠切されて嵌め合わされている。なお図１０、１１における矢印は、前記カバ−片１９を装着する際のその移動方向を示している。又図１０（Ｂ）における符号４８は、前記後のドア単体６ｂの戸先側に付設されている戸当りである。
【００３９】
前記上の横框部材１０は、図６に示すように、その上面部４１の上面４２が水平面に形成されると共に、前記出入口３が存する側に面する前方面部１２は屈曲面部として形成され、該前方面部１２と対向する後方面部４３の後面４５は垂直面として形成され、下面部４６の下面４７は水平面を呈し、該下面部４７に、前記嵌入固定溝３９の挿入開口４９が設けられている。そして該前方面部１２は、その上部分に、前方に突出する略角筒状を呈した突出部５０が庇状に設けられており、該突出部５０の下方に位置する部分の前面５１は垂直面として形成されている。そして該前方面部１２の上下方向で見た中央部分は、後方向に凹むように屈曲されており、入口５２が幅狭で奥側が矩形状に拡張し且つ該入口５２側の上下の部分に上下の係合溝５３，５３が形成されてなる前記摺動溝１５が一体に設けられている。
【００４０】
前記摺動部材１３は、前記摺動溝１５に嵌合されて左右方向Ｆ１で摺動可能の、左右方向Ｆ１に長い矩形板部５５の上下に、前記上下の係合溝５３，５３に嵌まり合う上下の係合突部５６，５６が設けられてなり、該矩形板部５５の前端面５７は前記入口５２から前方に若干突出する如く構成されている。又該前端面５７の左右両側には、該矩形板部５５を前後方向で貫通するネジ孔５９，５９が設けられている。かかる構成を有する摺動部材１３は、図４〜５、図７に示すように、前記上下の係合突部５６，５６が前記上下の係合溝５３，５３に嵌まり合った分離不能の係合状態で、前記摺動溝１５を左右方向Ｆ１で摺動できる。該摺動部材１３の左右方向Ｆ１での長さは、例えば５０ｍｍに設定されている。
【００４１】
前記上の横框部材１０が有する前記突出部５０は、図６〜７に示すように、前記上面部４１の前端６０で垂下する垂下片部６１の下端６２で、後方に突出する水平片部６３が連設されることによって設けられており、該水平片部６３の水平下面６５の後端６６で、前記前面５１の上端６７が連なっている。そして該水平下面６５（突出部５０の下面６８）の略長手中央線に沿って、断面円形状を呈し且つ左右方向に延長する突条６９ａとしての前記第２の線状係合部６９が下方に向けて突設されており、前記前面５１の中間部分には、左右方向Ｆ１に延長する断面円形状を呈する突条７０ａとしての前記第４の線状係合部７０が前方に向けて突設されている。
【００４２】
又図６に示すように、前記前方面部１２の下側部分７１と前記後方面部４３の下側部分７２との間には前記嵌入固定溝３９が形成されており、該嵌入固定溝３９の頂板部には、断面Ｃ字状を呈するビスポケット７５を構成するＣ字状突条部７６が左右方向Ｆ１に延長する如く設けられている。
【００４３】
前記カバー片１９は、本実施例においては図６〜７に示すように、アルミニウム押出形材として構成されており、垂直板部７７の後面７９の上部分に断面矩形状を呈するスライド部８０が左右方向Ｆ１に延長する如く設けられている。該スライド部８０の上面８１の略長手中央線に沿って、条溝８２ａとしての前記第１の線状係合部８２が設けられており、該スライド部８０の後面８３の略長手中央線に沿って、条溝８５ａとしての前記第３の線状係合部８５が設けられている。
【００４４】
そして、該スライド部８０の上面８１と前記突出部５０の下面６８とは略当接状態となされると共に、該スライド部８０の前記後面８３と、前記前方面部１２の前記前面５１とが略当接状態となされている。
【００４５】
然して、条溝８２ａとしての前記第１の線状係合部８２と、突条６９ａとしての前記第２の線状係合部６９とを、且つ、条溝８５ａとしての前記第３の線状係合部８５と、突条７０ａとしての前記第４の線状係合部７０とを夫々、略密接状態で嵌合させることにより、前記カバー片１９は図１０に示すように左右方向Ｆ１でスライド可能となる。
【００４６】
そして図７に示すように、前記スライド部８０の下端８６は、前記摺動溝１５の前記入口５２の上縁８７の稍上方部に位置されており、又、前記カバー片１９と前記前方面部１２との間に収容間隙９０が設けられている。本実施例においては、該カバ−片１９の前記スライド部８０の下方に位置する下側部分８９と前記前方面部１２との間に収容間隙９０が設けられており、又本実施例においては、該カバー片１９の、前記出入口３が存する側に面する前面９１と前記突出部５０の前面９２は略面一状態に形成されている。
【００４７】
前記下の横框部材１１は図８〜９に示すように、断面Ｈ形を呈する略角筒状を呈しており、その上側部分には、前記突出部５０と前記摺動溝１５と前記嵌入固定溝３９を構成する角筒部９５が設けられると共に、その下側部分には、図５に示すように戸車２５ａを収容するための、戸車収容溝部９６が設けられている。
【００４８】
そして該下の横框部材１１の上面部９７の上面９９は水平面に形成されると共に、前記出入口３が存する側に面する前方面部１２は屈曲面部として形成され、該前方面部１２と対向する後方面部９９の後面１００は垂直面として形成され、下面部１０１の下面１０２は水平面を呈し、該上面部９７に、前記嵌入固定溝３９の挿入開口１０３が設けられている。該前方面部１２は、その上部分に、前方に突出する突出部５０が設けられており、該突出部５０の下方に位置する部分の前面５１は、本実施例においては垂直面として形成されている。
【００４９】
前記突出部５０は、図８〜９に示すように、前記上面部９７の前端１０５で前方に一連に庇状に突出する水平板状を呈しており、その水平下面１０６（突出部５０の下面６８）の後端１０７に、前記前面５１の上端１０９が連なっている。そして該水平下面１０６の略長手中央線に沿って、断面円形状を呈し且つ左右方向Ｆ１に延長する突条６９ａとしての第２の線状係合部６９が下方に向けて突設されており、前記垂直な前面５１の上下中央部位には、断面円形状を呈し且つ左右方向に延長する突条７０ａとしての第４の線状係合部７０が前方に向けて突設されている。
【００５０】
そして該前方面部１２の上下方向で見た上側部分は、後方向に凹むように屈曲されており、入口５２が幅狭で奥側が矩形状に拡張して該入口５２側の上下の部分に上下の係合溝５３，５３が形成されてなる前記摺動溝１５が一体に設けられている。
【００５１】
前記摺動部材１３は、図８〜９に示すように、該摺動溝１５に嵌合されて左右方向Ｆ１で摺動可能の、左右方向に長い矩形板部５５の上下に、前記上下の係合溝５３，５３に嵌まり合う上下の係合突部５６，５６が設けられてなり、該矩形板部５５の前端面５７は、前記入口５２から前方に若干突出する如く構成されている。又該前端面５７の左右両側には、該矩形板部５５を前後方向で貫通するネジ孔５９，５９が設けられている。かかる構成を有する摺動部材１３は、図５、図９に示すように、前記上下の係合突部５６，５６が前記上下の係合溝５３，５３に嵌まり合った分離不能の係合状態で、前記摺動溝１５を左右方向Ｆ１で摺動できる。
【００５２】
又、前記嵌入固定溝３９の底部１１０には、図８〜９に示すように、断面Ｃ字状を呈するビスポケット７５を構成するＣ字状突条部７６が左右方向に延長する如く設けられている。そして、前記前方面部１２の下側部分１１１と前記後方面部９９の下側部分１１２との間には前記戸車収容溝部９６が構成されている。
【００５３】
前記取付部材１６は、本実施例においては図６〜７、図８〜９に示すように、前記摺動部材１３に連結される連結部１７を上部に具えた後の取付片１１３と、固定部２０を上部に具えた前の取付片１１５の下端１１６，１１７相互が、例えば水平の繋ぎ片１１９で連結されてなり、該前の取付片１１５の上端１２０の高さが前記後の取付片１１３の上端１２１の高さよりも低く形成されて、全体としてＵ字状を呈している。そして該固定部２０は、図５に示すように、前記出入口３の前記左右方向Ｆ１で見た一方側に存する一方側間仕切り部７の後側の壁面２１に固定され、或いは、前記出入口３が存する側に近い前のドア単体６ａの後面２２に固定される。
【００５４】
かかる構成を有する後の取付片１１３の前記連結部１７の左右側には、図６、図８、図１２、図１３に示すように、前記摺動部材１３に設けられている左右のネジ孔５９，５９と位置合わせしてビス挿通孔１２３，１２３が設けられており、該ビス挿通孔１２３，１２３を挿通する左右のビス１２５，１２５（図７、図９）を前記左右のネジ孔５９，５９に螺合し締め付けることによって、図７、図９に示すように、該連結部１７が該摺動部材１３に連結される。
【００５５】
前記後の取付片１１３の構成は、図６、図８に示すように、上下の横框部材１０，１１について同様構成とすることもできる。しかし本実施例においては図１〜２に示すように、前記後のドア単体６ｂに付設される把手１２６が、戸先側の上側に設けられる関係上、前記スライドドア５のスライド動作をより円滑化させるために、図１２（Ａ）に示すように、該後の取付片１１３を左右方向Ｆ１で長く形成し、連結部１７に、左右方向で４個のビス挿通孔１２３，１２３，１２３，１２３を設けている。然して本実施例においては図１２（Ｂ）に示すように、前記摺動部材１３の２個を左右方向で直列に配置し、４個のネジ孔５９，５９，５９，５９に該ビス挿通孔１２３を位置合わせし、４本のビス１２５を該ネジ孔５９に螺合し締め付けると、該連結部１７を該２個の摺動部材１３，１３に連結できる。
【００５６】
このように連結された状態で、図７、図９に示すように、前記第１、第２の線状係合部８２，６９を嵌合させ且つ前記第３、第４の線状係合部８５，７０を嵌合させることによって前記カバー片１９を前記上下の横框部材１０，１１に装着すると、前記後の取付片１１３が前記収容間隙９０に収容状態となる。前記のように、前記摺動部材１３を構成する前記矩形板部５５の前端面５７が前記入口５２から前方に若干突出する如く構成されているため、前記後の取付片１１３は前記前方面部１２に接触しない。
【００５７】
又、該連結部１７が前記摺動部材１３に固定された状態で、垂下状態にある前記後の取付片１１３が前記収容間隙９０に納められ、且つ図７、図９に示すように、前記繋ぎ片１１９が前記カバー片１９の下端２４の下方に位置する。この状態で前記摺動部材１３が図４に矢印で示す左右方向Ｆ１に摺動するに伴い、該後の取付片１１３が、前記前方面部１２、前記カバ−片１９と干渉することなく前記収容間隙９０を左右方向Ｆ１で移動できる。
【００５８】
この移動の範囲は、例えば図１４〜１５、図１６〜１７に示すように、前記摺動溝１５の溝底部１２７（図６、図８）の左右の端部１２９，１３０から内方に控えた部位にストッパ部１３１，１３１を設けておくことによって、前記摺動部材１３が該左右のストッパ部１３１，１３１に当接するまでの範囲に規制される。該左右のストッパ部１３１，１３１は上下の横框部材１０，１１の双方に設けてもよいのであるが、本実施例においては、該左右のストッパ部１３１，１３１を上の横框部材１０にのみ設けている。
【００５９】
前記カバー片１９をこのように装着して後、図４、図１０〜１１に示すように、前記左右の縦框部材２９，３０の上の端部分３１，３１間と下の端部分３２，３２（図４）間に前記上下の横框部材１０，１１を介装し、且つ、該縦框部材２９，３０と該横框部材１０，１１とを、前記上下の横框部材１０，１１に設けられている前記ビスポケット７５，７５（図６、図８）にねじ込まれるビス（図示を省略）を用いて連結する。これによって図１４〜１５、図１６〜１７に示すように、前記カバー片１９の両端部１３３，１３３が前記左右の縦框部材２９，３０の内面部１３５，１３５に当接されることにより抜け止めされる。かかることから前記カバー片１９を、何らビス固定することなく、上下の横框部材１０，１１に簡易且つ確実に固定状態となし得る。
【００６０】
前記左右の縦框部材２９，３０と前記上下の横框部材１０，１１とを前記のように矩形状に枠組し、且つその際に、図５に示すように、前記嵌入固定溝３９に前記面材３６の縁部分３７を嵌入しパッキン材４０，４０で固定することによって前記ドア単体６（図４）を構成できる。このように構成したドア単体６の２枚を、前記取付部材１６を介して連結することにより前記スライドドア５（図３）を構成できる。
【００６１】
図３、図１８は、前後のドア単体６ａ，６ｂを前記取付部材１６を介して連結した状態を示しており、後のドア単体６ｂの前記取付部材１６が、前記摺動溝１５の左端側１４０に位置された状態で、該取付部材１６の前記固定部２０が、図５に示すように、前記前のドア単体６ａの後面２２に固定されている。
【００６２】
この固定は、ビス固定やボルト固定によって行うことができる。本実施例においては、例えば図５、図１８〜１９に示すように、該後面２２で突設されたボルト軸１４２，１４２を前記固定部２０の左右部位に設けられているボルト孔１４１，１４１に挿通させ、該ボルト軸１４２，１４２に螺合するナット１４３，１４３を締め付けることによって行うことができる。該ナット１４３の螺締操作は、前記カバー片１９と前記前の取付片１１５との間に形成された固定用間隙１４５（図５、図１８）にスパナ等の工具を挿入して行うことができる。該固定用間隙１４５は、前記繋ぎ片１１９（図６、図８）の前後幅によって設定されるものであり、該スパナ等の工具を用いてナットを回転させるに必要な最小限度の幅（例えば、スパナの厚み程度の幅）に設定できる。
【００６３】
かかる固定によって構成されたスライドドア５の夫々のドア単体６ａ，６ｂの下部には、前記のように、床部２３に接して左右方向で移動可能な支持部材２５が設けられている（図５）。該支持部材２５は本実施例においては、各ドア単体６ａ，６ｂの前記戸車収容溝部９６，９６の左右側に納設された戸車２５ａ，２５ａ、２５ａ，２５ａを以て構成されている。該戸車２５ａは、図１〜２、図５に示すように、床面１４６の左右方向に延長して設けられたレール部材１４７の前後のレール溝１４９，１５０（前記床部２３に該当する）を左右方向で移動可能であり、該戸車２５ａによってドア単体６ａ，６ｂの重量が支持される。該前のレール溝１４９を、前記前のドア単体６ａの前記戸車２５ａが左右方向Ｆ１で走行でき、該後のレール溝１５０を、前記後のドア単体６ｂの前記戸車２５ａが左右方向Ｆ１で走行できる。
【００６４】
図１は、既設のローパ−ティション２７で区画された例えば金融相談室の区画空間２６に設けられている出入口３を、後付けで、前記スライドドア５で開閉可能としたスライドドア装着１を示すものである。該スライドドア装置１を構成するに際しては、例えば、２枚のドア単体６ａ，６ｂをスライド可能に連結してなるスライドドア５（図３）を予め工場で製作しておき、これを施工現場に搬入して前記開口部３に取り付けて行うことができる。
【００６５】
かかるスライドドア５は、前記摺動溝１５が上下の横框部材１０，１１と一体に設けられているため、特許文献１における場合とは異なり、前記のパネル側レールｆやドア側レールｋ等の特別な部品を必要とせず、それ故、これらの部品を所要に位置決めして固定（ビス固定、ボルト固定等）する作業が不要となる。従って該スライドドア５は、全体構造が簡素であり、生産性向上と製造コストの低減を期し得ることとなる。
【００６６】
図５、図１８〜１９には、該スライドドア５を構成する前記前のドア単体６ａを、前記取付部材１６を介して、前記左右方向Ｆ１で見た一方側に存する一方側間仕切り部７の後側の壁面２１に固定した状態が示されている。この固定は、図１８に示すように、前記前のドア単体６ａに設けられている前記取付部材１６を戸尻側に位置させ、この状態で該取付部材１６の前記固定部２０を該後側の壁面２１にボルト固定して行なわれている。かかる構成を有するスライドドア５が前記出入口３を開いた状態においては、図１〜２に示すように、前記前のドア単体６ａが前記一方側間仕切り部７の後側の壁面２１に略完全に重なる状態となされる。そして本実施例においては、図２に示すように、該前のドア単体６ａが、その戸尻側の端部１５１が前記床部２３に設けたストッパ部材１５２に当たって停止され、且つ、該後のドア単体６ｂが、その戸尻側の端部１６４が前記床部２３に設けたストッパ部材１６８に当たって停止されるようになされている。又この状態で、図１が示すように、前記後のドア単体６ｂに設けられている把手１２６が前記出入口３の一方の端部１５３から出入口３内に稍入り込んだ状態となるようになされている。これにより、前記スライドドア５を開く際に把手１２６を把持し易い。
【００６７】
前記固定部２０を前記後側の壁面２１に固定するに際しては、図１８、図１９（Ｃ）（Ｄ）に示すように、該取付部材１６を、前記前のドア単体６ａの戸尻側（前記摺動溝１５の左端側１４４）に位置させた状態で、前記後側の壁面２１で突設されたボルト軸１５５，１５５を前記固定部２０の左右部位に設けられているボルト孔１５６，１５６に挿通させ、該ボルト軸１５６に螺合するナット１４３，１４３を締め付けることによって行うことができる。該ナット１５７の螺締操作は、前記固定用間隙１４５に通したスパナ等の工具を用いて行うことができる。
【００６８】
図２０（Ｃ）は、前記スライドドア５が前記出入口３を閉じた状態を示すものであるが、このように閉じた状態とするには、前記把手１２６を把持して前記後のドア単体６ｂを図２０（Ａ）に矢印で示す右方向にスライドさせる。前記出入口３の上端２８（図１〜２）が開放状態にあって該スライドドア５の上端がフリーの状態にあるにも拘わらず、前記スライドドア５は、前記出入口３を閉じる方向に安定的にスライドできる。
【００６９】
これは、図５に示すように、該前後のドア単体６ａ，６ｂの上下の横框部材１０，１１の前方面部１２，１２が前記取付部材１６，１６を介して前記後側の壁面２１、前記前のドア単体６ａの後面２２に支持されており、且つ、該前後のドア単体６ａ，６ｂの戸先側が前記戸車２５ａ，２５ａを介して前記レール溝１４９，１５０（床部２３）に支持されており、スライドドア５が安定的に取り付けられているからである。そして、このスライドに伴い、前記上下の横框部材１０，１１に設けられている前記摺動溝１５，１５を、前記摺動部材１３，１３が左端側（戸尻側）１４０に向けて相対的に摺動する。そして図２０（Ｂ）、図２１（Ａ）に示すように、上の摺動部材１３ａが上の摺動溝１５の左端側に設けられている前記ストッパ部１３１に当った後は、前記前のドア単体６ａが前記閉じる方向に向けてスライドすることになる。そして、図２０（Ｃ）、図２１（Ｂ）に示すように、該後のドア単体６ｂの戸先側の先端に付設されている前記戸当り４８（図１０（Ｂ））が前記出入口３の他方の端部１５３ｂに当接することによって、該前のドア単体６ａが停止状態となる。この停止状態で、前記出入口３がスライドドア５で閉じられた状態となる。なお図２０（Ｃ）においては、図２１（Ａ）（Ｂ）に拡大して示すように、前記上のスライド部材１３，１３が共に、ドア単体６ａ，６ｂの戸尻側に設けられている前記ストッパ部１１３，１１３に当接状態にある。
【００７０】
この状態から該出入口３を開く場合は、前記後のドア単体６ｂの前記把手１２６を把持して前記スライドドア５を、図２２（Ａ）に矢印で示すように、該出入口３を開く方向にスライドさせる。この場合も、該出入口３を閉じる場合と同様の理由で、該スライドドア５は、前記出入口３を開く方向に安定的にスライドできる。このとき、前記上下の摺動部材１３，１３が前記上下の摺動溝１５，１５を、後のドア単体６ｂの戸先側に向けて相対的に摺動する。
【００７１】
その後、前記後のドア単体６ｂの上の摺動部材１３ａが、図２２（Ｂ）、図２３（Ａ）に示すように、上の摺動溝１５ａの戸先側に設けられているストッパ部１３１に当接することによって、前記前のドア単体６ａが、図２２（Ｂ）に矢印で示すように、出入口３を開く方向に向けてスライドすることになる。そして本実施例においては、図２２（Ｃ）に示すように、前記前のドア単体６ａが、その戸尻側の端部１５１が前記ストッパ部材１５２に当ることによって停止され、略同時に、前記後のドア単体６ｂが、その戸尻側の端部１６４が前記ストッパ部材１６８に当たって停止される。なお図２２（Ｃ）においては、図２３（Ｃ）に拡大して示すように、前記ドア単体６ａ，６ｂの前記上のスライド部材１３ａ，１３ａが、該ドア単体６ａ，６ｂの戸先側に設けられている前記ストッパ部１１３，１１３に当接状態にある。そしてこの状態で、図２２（Ｃ）に示すように、該前のドア単体６ａが前記左右方向Ｆ１で見た一方側に存する一方側間仕切り部７の後側９に重なった状態となる。且つ、前記後のドア単体６ｂが該前のドア単体６ａの後側になり合った状態となり、前記把手１２６が前記一方側間仕切り部７の一方の端部１５３から出入口３内に稍突出した状態となり、これにより、スライドドア５が該出入口３を開いた状態が得られる。
【００７２】
前記スライドドア５が前記出入口３を閉じた状態においては、図２０（Ｃ）に示すように、前記前のドア単体６ａが前記後側の壁面２１に接近した状態にあり、該前のドア単体６ａの戸尻側部分１６１と該後側の壁面２１との間の間隙１６２が小さい。又、前記前のドア単体６ａの戸先側部分１５９と前記後のドア単体６ｂの戸尻側部分１６０との間の間隙１６３も小さい。かかることから前記出入口３の出入り方向（前記前後方向Ｆ２）で見た全体厚さが特許文献１における全体厚さに比して小さい。又図２０（Ａ）に示すように、前記スライドドア５が前記出入口３を開いた状態における、重なり状態にある該スライドドア５の、前記後側の壁面２１からの突出量も小さい。かかることから、スライドドア装置１の全体をコンパクトに見栄えよく構成し得ることとなり、省スペース化を図り得ることとなる。
【００７３】
これは、前記上下の横框部材１０，１１に前記摺動溝１５が一体に設けられているために実現できることである。そして本実施例においては前記カバー片１９が前記摺動溝１５を正面側から覆うように装着されているため、前記摺動溝１５を摺動する摺動部材１３に手指が挟まる恐れもなく安全であり、又、該摺動溝１５に埃等が付着するのを防止できる。又、前記カバー片１９に覆い隠されて前記摺動部材１３の摺動状態が目視不能となるため、摺動構造部分の見栄えを向上させ得る。
【００７４】
又、前記スライドドア５が前記出入口３を閉じた状態における、前記前のドア単体６ａの戸尻側部分１６１と前記後側の壁面２１との間の間隙１６２が小さく且つ、前のドア単体６ａの戸先側部分１５９と前記後のドア単体６ｂの戸尻側部分１６０との間の間隙１６３が小さいことから、特許文献１における場合とは異なり、該間隙１６２，１６３を通して区画空間２６の内部が見えにくい。
【実施例２】
【００７５】
図２４〜２６は、床面から天井までを仕切るハイパーティションとして構成された間仕切り２の所要部位に設けられた開口部１６５の下端側部分１６５ａ（本発明にいう出入口３の一態様）をスライドドア５で開閉可能とした場合の一例を示すものである。例えば、保育園の間仕切りを構成する引戸１６６の内の端部に位置する１枚の引戸１６６ａを図２４（Ａ）、図２６（Ａ）に示すように、開いて形成した上下に長い開口部１６５の下側の５０〜６０ｃｍ程度の部分（本発明にいう出入口３の一態様をなす前記下端側部分）１６５ａをスライドドア５で開閉可能とした場合を示している。
【００７６】
本実施例に係る発明の目的は、夏場の暑いときに一部の引戸を開いて保育室の空調を図る場合に、引戸を開いて開口部を形成しただけでは赤ん坊が這って室外に出る恐れがあるため、赤ん坊は通れないが大人は容易に出入できるスライドドア装置１を構成することにある。そのために、１枚の引戸を開いて形成された前記開口部１６５の下側の５０〜６０ｃｍ程度の高さ部分、例えば５０ｃｍ程度の高さ部分（出入口３）にスライドドア５を設けることとしている。
【００７７】
該スライドドア５は、図２４〜２５に示すように、その背丈が５０ｃｍ程度である他は実施例１で説明したところと同様であり、２枚のドア単体６ａ, ６ｂ相互が左右方向Ｆ１でスライド可能に構成されている。該スライドドア５の、前記出入口３に近い前のドア単体６ａを、図２６（Ａ）に示すように、開いた前記引戸１６６ａの後側の壁面２１（本発明でいう一方側間仕切り部７の後側の壁面２１）に前記取付部材１６を介して固定してなる。そして該２枚のドア単体６ａ, ６ｂの夫々の下部の左右側に、床面１４６に設けたレール部材１４７を左右方向Ｆ１で移動可能な戸車２５ａを設けてなる。これによってスライドドア５は安定状態で左右方向でスライドでき、図２６（Ａ）に示すように、前記開口部１６５の下端側部分１６５ａ（出入口３）を閉じることができ、又、例えば図２６（Ｂ）に示すように、該下端側部分１６５ａ（出入口３）を開くことができる。本実施例においては、前記把手１２６を縦框部材を凹設して設けているため、図２６（Ｂ）に示すように２枚のドア単体６ａ，６ｂを、前記出入口３に食み出ないように前記一方側間仕切り部７の後側の壁面２１に重なり状態に納めることができる。そして、前記スライドドア５が該下端側部分１６５ａ（出入口３）を閉じた状態で、該スライドドア５がロックされるようになされている。
【００７８】
然して該スライドドア５を閉じた状態においては、これに阻止されて赤ん坊は室外に出ることができず、一方大人は、該スライドドア５を跨いで開口部１６５を出入できる。
【実施例３】
【００７９】
図２７は、前記出入口３の左右の端部側の夫々に前記と同様構成のスライドドア５，５を設けた場合を示すものである。本実施例においては、ローパーティションとしての間仕切り２の所要部位に設けられた出入口３に応用されている。夫々のスライドドア５，５は前記と同様に２枚のドア単体６ａ, ６ｂを左右方向Ｆ１でスライド可能に連結して構成されており、該スライドドア５，５が該出入口３を閉じた状態で、両スライドドア５，５の内の前のドア単体６ａの戸尻部分１７０，１７０で、前記出入口３の両側に存する一方側間仕切り部７，７に前記取付部材１６，１６を介して連結されている。以下においては便宜上、一方側間仕切り部７と他方側間仕切り部８と区別する。そして該両スライドドア５，５は、前記出入口３を閉じる方向に或いは開く方向にスライドでき、図２７（Ｂ）に示すように、閉じる方向にスライドして該両スライドドア５，５の戸先端部１７１，１７１相互が当接状態となる。又、該両スライドドア５，５が開く方向にスライドして、前のドア単体６ａが前記一方側間仕切り部７、他方側間仕切り部８の後側の壁面２１，２１に重なり合った状態で、図２７（Ａ）が示すように、左右のスライドドア５，５の後のドア単体６ａ, ６ｂの戸先側に設けられている把手１２６，１２６が前記出入口３の内側に稍入り込んだ状態で位置する。
【実施例４】
【００８０】
本発明は、前記実施例で示したものに限定されるものでは決してなく、「特許請求の範囲」の記載内で種々の設計変更が可能であることはいうまでもない。その一例を挙げれば次のようである。
【００８１】
(1) 例えば養護老人施設において、間仕切りの所要部位に設けられた出入口３に、養護老人の腰高程度の高さ（例えば７０ｃｍ程度の高さ）を有するスライドドア５を前記と同様にして設けることもできる。かかる構成を有するスライドドア装置１によるときは、該スライドドア５で出入口３を閉じることにより、養護老人が管理区域に不用意に立ち入るのを防止できることになる。
【００８２】
(2) 本発明に係るスライドドア装置１は、１枚のドア単体６を以てなるスライドドア５を用いて構成されることもある。図２８、図２９はその一例を示すものであり、スライドドア５が１枚であることの他は前記実施例で説明したところと同様であるため、前記と同様箇所には同一の符号を付して、その詳細な説明を省略する。
【００８３】
(3) 本発明に係るスライドドア装置１において、前記スライドドア５の下部２４に設けられる、床部２３に接して左右方向で移動可能な支持部材２５は、前記した戸車の他、転動しない樹脂ブロック片を用いて構成し、該樹脂ブロック片の下面が該床部２３に接して左右方向で移動可能となるように構成してもよい。又前記床部２３は、前記したレール部材１４７を床面１４６に固定して構成されることの他、床面その自体であることもある。
【００８４】
(4) 前記支持部材２５を戸車２５ａとして構成する場合、前記レ−ル部材１４７は、該戸車２５ａを走行させるための前記レール溝１４９，１５０としての床部２３の他、突条レ−ルとしての床部２３を具える如く構成してもよい。
【００８５】
(5) 前記スライドドア５が前記出入口３を閉じる方向に或いは開く方向に無理なくスライドできるならば、前記支持部材２５を省略してもよい。
【００８６】
(6) 本発明に係るスライドドア装置１を構成する前記スライドドア５は、複数枚のドア単体６を以て構成できるものであり、前記した２枚のドア単体６ａ, ６ｂを以て構成されることの他、例えば３枚や４枚のドア単体６を以て構成されることもある。図３０〜３１は、３枚のドア単体６，６，６を以てスライドドア５を構成した状態を示している。この場合におけるスライドドア５の構成は、該複数枚のドア単体の内の端部に位置する端部のドア単体６Ａに設けられている取付部材１６の前記固定部２０が、前記出入口３の前記左右方向Ｆ１で見た一方側に存する一方側間仕切り部７の後側の壁面２１に固定される一方、左右隣り合うドア単体６，６の内の前記出入口３が存する側から遠いドア単体に連結されている前記取付部材１６の前記固定部２０は、前記出入口３が存する側に近いドア単体の後面２２に固定されている。
【００８７】
(7) 前記上下の横框部材１０，１１に、前記摺動溝１５を正面側から覆う如く装着されるカバー片１９は、前記したスライド方式で装着されることの他、けんどん式で固定されたり、ビス固定等によって固定されることもある。
【００８８】
(8) 前記上下の框部材１０，１１は前記した金属製の他、樹脂製とされることもあり、或いは木製本体に金属板を固定して構成することも可能である。
【００８９】
(9) 前記摺動溝１５に前記摺動部材１３を摺動可能に装着する手段としては、前記したように、該摺動溝１５の入口５２を幅狭に構成することにより該摺動部材１３が該摺動溝１５に対して分離不能の係合状態となすことの他、例えば図３２に示すように、該摺動溝１５の底面部１７２で突出するＴ字状ガイドレール１７３を左右方向Ｆ１で延長する如く設け、前記摺動部材１３を該Ｔ字状ガイドレール１７３に沿って分離不能の係合状態で摺動させるように構成するもの等、摺動部材１３を分離不能の係合状態で該摺動溝１５において摺動可能とする各種手段を採用できる。
【００９０】
(10)図３３は、前記上下の框部材１０，１１に設けられた突出部５０の下面４７に条溝８２ａとしての第１の線状係合部８２を設けると共に、前記カバ−片１９に設けられている前記スライド部８０の上面８１に、該条溝８２ａと略密接状態でスライド可能に嵌合し得る突条６９ａとしての第２の線状係合部６９を設ける一方、前記上下の框部材１０，１１の前記突出部５０の下方に位置する部分の前面５１に条溝８５ａとしての第３の線状係合部８５を設けると共に、前記スライド部８０の後面８３に、該条溝８５ａと略密接状態でスライド可能に嵌合し得る突条７０ａとしての第４の線状係合部７０を設けた場合を示している。
【００９１】
又、前記スライド部８０の上面８１に条溝８２ａとしての第１の線状係合部８２を設ける一方、前記スライド部８０の前記後面８３に突条７０ａとしての第４の線状係合部７０が設けられることもある。
【００９２】
(11)複数枚のドア単体６を以て構成された前記スライドドア５の端部に位置するドア単体は、前記出入口３の左右方向で見た他方側に存する他方側間仕切り部８（図２７）の後側壁面２１に取付部材１６を介して取り付けられてもよい。
【００９３】
(12)図３４は、図１に示した場合とは逆に、前記一方側間仕切り部７の前記後側の壁面２１を前記区画空間２６の外側に設定した場合におけるスライドドア装置１を示している。この場合も実施例１における場合と同様に、前記出入口３の出入方向が前後方向とされているが、前記出入口３に面する側が前、その逆側が後とされている。
【００９４】
(13)前記スライドドア５が複数枚のドア単体６を用いて構成される場合、該スライドドア５を、前記出入口３を閉じる方向に或は開く方向に、支障なくスライドさせ得る限り、前記支持部材２５は、全てのドア単体６の下部に設けられることの他、先頭に位置するドア単体の下部にのみ設けられることもある。又、ドア単体６の下部２４に設ける支持部材２５は、該下部２４の所要部位に設けてよく、例えば、ドア単体６の戸先側にのみ設けることもある。
【００９５】
(14)前記スライド部８０の前記上面８１は水平面とは限らず、前記後面８３は垂直面とは限らない。
【００９６】
(15)装着されたカバー片１９の安定性を向上させるために、例えば図３５に示すように、前記上下の横框部材１０，１１（例えば上の横框部材１０）の前方面部１２の両端側において（例えば、前記左右のストッパ部１３１，１３１の外側において）、例えば１０ｍｍ程度の左右幅を有するスポンジ片１３６，１３６を圧縮状態で介在させるのがよい。これによって、前記第１、第２の線状係合部８２，６９との嵌合部分１３７及び前記第３、第４の線状係合部８５，７０との嵌合部分１３９に若干のがたつきがある場合であっても、スライドドア５のスライド中におけるカバー片１９の装着部分で発生する振動を、該左右両側に配置されている該スポンジ片１３６，１３６によって防止できる。なお前記スポンジ片１３６に代えて、軟質ゴム等の弾性部材を用いてもよい。
【００９７】
(16)上下の横框部材に前記カバ−片が装着されない場合は、前記摺動部材１３に連結される取付部材１６の構成の自由度が高まる。
【００９８】
(17)前記摺動溝を正面側から覆うカバ−片を左右方向でスライド可能に装着するための構成は、前記した第１の線状係合部と第２の線状係合部、前記第３の線状係合部と前記第４の線状係合部とを略密接状態でスライド可能に嵌合させる構成の他、該カバ−片を左右方向でスライド可能に嵌合させ得る各種の公知手段を採用できる。
【００９９】
(18)前記突出部５０は、所要の筒状形態や所要の板状形態等として構成できる。
【０１００】
(19)本発明において、「出入口３が開口された状態でスライドドア５が前記一方側間仕切り部７の後側に重なり合う」とは、例えば図２６（Ｂ）に示すように完全に重なり合うことの他、例えば図２や図２０（Ａ）に示すように部分的にずれて重なり合うことも含む。
【符号の説明】
【０１０１】
１  スライドドア装置
２  間仕切り
３  出入口
５  スライドドア
６  ドア単体
７  一方側間仕切り部
９  後側
１０  上の横框部材
１１  下の横框部材
１２  前方面部
１３  摺動部材
１５  摺動溝
１６  取付部材
１７  連結部
１９  カバ−片
２０  固定部
２１  後側の壁面
２２  後面
２３  床部
２５  支持部材
２５ａ  戸車
２６  区画空間
２７  ロ−パ−ティション
２８  出入口の上端
２９  左の縦框部材
３０  右の縦框部材
３１  上の端部分
５０  突出部
６９  第２の線状係合部
７０  第４の線状係合部
８２  第１の線状係合部
８５  第３の線状係合部
９０  収容間隙
１２６  把手
１４３  ナット
１６２  間隙
１６３  間隙
【図１】
2015218527.tif 000003
【図２】
2015218527.tif 000004
【図３】
2015218527.tif 000005
【図４】
2015218527.tif 000006
【図５】
2015218527.tif 000007
【図６】
2015218527.tif 000008
【図７】
2015218527.tif 000009
【図８】
2015218527.tif 000010
【図９】
2015218527.tif 000011
【図１０】
2015218527.tif 000012
【図１１】
2015218527.tif 000013
【図１２】
2015218527.tif 000014
【図１３】
2015218527.tif 000015
【図１４】
2015218527.tif 000016
【図１５】
2015218527.tif 000017
【図１６】
2015218527.tif 000018
【図１７】
2015218527.tif 000019
【図１８】
2015218527.tif 000020
【図１９】
2015218527.tif 000021
【図２０】
2015218527.tif 000022
【図２１】
2015218527.tif 000023
【図２２】
2015218527.tif 000024
【図２３】
2015218527.tif 000025
【図２４】
2015218527.tif 000026
【図２５】
2015218527.tif 000027
【図２６】
2015218527.tif 000028
【図２７】
2015218527.tif 000029
【図２８】
2015218527.tif 000030
【図２９】
2015218527.tif 000031
【図３０】
2015218527.tif 000032
【図３１】
2015218527.tif 000033
【図３２】
2015218527.tif 000034
【図３３】
2015218527.tif 000035
【図３４】
2015218527.tif 000036
【図３５】
2015218527.tif 000037
【図３６】
2015218527.tif 000038
【図３７】
2015218527.tif 000039
【図３８】
2015218527.tif 000040
【手続補正書】
【提出日】平成26年9月8日(2014.9.8)
【手続補正１】
【補正対象書類名】特許請求の範囲
【補正対象項目名】全文
【補正方法】変更
【補正の内容】
【特許請求の範囲】
【請求項１】
間仕切りの所要部位に設けられた、上端が開放された出入口が、１枚のドア単体を以て構成されたスライドドアで開閉可能となされた間仕切り用スライドドア装置であって、該出入口の幅方向を左右方向とし、該出入口の出入り方向を前後方向としたとき、
該出入口が開口された状態で、該スライドドアが、前記出入口の左右方向で見た一方側に存する一方側間仕切り部の後側に重なり合うようになされており、前記ドア単体を構成する上の横框部材と下の横框部材の夫々は、該出入口が存する側に面する前方面部に、摺動部材を分離不能の係合状態で左右方向で摺動させるための摺動溝が、該前方面部を後方向に凹ませて一体に設けられており、
該摺動溝は、前記横框部材の前後方向幅内において設けられ、且つ前記横框部材の左右方向に延長しており、又該摺動溝は、入口が幅狭で奧側が上下方向に長く拡張して該入口に連なる如く係合溝が形成されてなり、
前記摺動部材は、左右方向に長い矩形板部の上下に、前記摺動溝の前記係合溝に嵌まり合う上下の係合突部が設けられてなり、以て、前記摺動溝内にあって、前後方向及び上下方向の動きを規制されて左右方向の摺動のみが許容されるように構成されており、
該摺動溝に装着されている前記摺動部材には、取付部材の一端側の連結部が連結されており、該取付部材の他端側の固定部が前記一方側間仕切り部の後側の側面に固定されており、
前記上下の摺動部材が前記上下の摺動溝を摺動することによって前記スライドドアが、前記出入口を閉じる方向に或いは開く方向にスライドできることを特徴とする間仕切り用スライドドア装置。
【請求項２】
間仕切りの所要部位に設けられた、上端が開放された出入口が、１枚のドア単体を以て構成されたスライドドアで開閉可能となされた間仕切り用スライドドア装置であって、該出入口の幅方向を左右方向とし、該出入口の出入り方向を前後方向としたとき、
該出入口が開口された状態で、該スライドドアが、前記出入口の左右方向で見た一方側に存する一方側間仕切り部の後側に重なり合うようになされており、前記ドア単体を構成する上の横框部材と下の横框部材の夫々は、該出入口が存する側に面する前方面部に、摺動部材を分離不能の係合状態で左右方向で摺動させるための摺動溝が、該前方面部を後方向に凹ませて一体に設けられており、
該摺動溝は、前記横框部材の前後方向幅内において設けられ、且つ前記横框部材の左右方向に延長しており、又該摺動溝は、入口が幅狭で奧側が上下方向に長く拡張して該入口に連なる如く係合溝が形成されてなり、
前記摺動部材は、左右方向に長い矩形板部の上下に、前記摺動溝の前記係合溝に嵌まり合う上下の係合突部が設けられてなり、以て、前記摺動溝内にあって、前後方向及び上下方向の動きを規制されて左右方向の摺動のみが許容されるように構成されており、
該摺動溝に装着されている前記摺動部材には、取付部材の一端側の連結部が連結されており、該取付部材の他端側の固定部が前記一方側間仕切り部の後側の側面に固定されており、
又前記スライドドアの下部には、床部に接して左右方向で移動可能な支持部材が設けられており、
前記上下の摺動部材が前記上下の摺動溝を摺動することによって前記スライドドアが、前記出入口を閉じる方向に或いは開く方向にスライドできることを特徴とする間仕切り用スライドドア装置。
【請求項３】
間仕切りの所要部位に設けられた、上端が開放された出入口が、スライドドアで開閉可能となされた間仕切り用スライドドア装置であって、該出入口の幅方向を左右方向とし、該出入口の出入り方向を前後方向としたとき、
該スライドドアは、複数枚のドア単体を以て構成され、左右隣り合う該ドア単体は、相互が左右方向でスライド可能に連結されており、前記出入口が開口された状態で、該複数枚のドア単体が、前記出入口の左右方向で見た一方側に存する一方側間仕切り部の後側に重なり合うようになされており、
各ドア単体は、これを構成する上の横框部材と下の横框部材の夫々が、前記出入口が存する側に面する前方面部に、摺動部材を分離不能の係合状態で左右方向で摺動させるための摺動溝が、該前方面部を後方向に凹ませて一体に設けられており、
該摺動溝は、前記横框部材の前後方向幅内において設けられ、且つ前記横框部材の左右方向に延長しており、又該摺動溝は、入口が幅狭で奧側が上下方向に長く拡張して該入口に連なる如く係合溝が形成されてなり、
前記摺動部材は、左右方向に長い矩形板部の上下に、前記摺動溝の前記係合溝に嵌まり合う上下の係合突部が設けられてなり、以て、前記摺動溝内にあって、前後方向及び上下方向の動きを規制されて左右方向の摺動のみが許容されるように構成されており、
該摺動溝に装着されている前記摺動部材には、取付部材の一端側の連結部が連結されており、
前記スライドドアの、端部に位置するドア単体に連結されている前記取付部材の他端側の固定部が、前記一方側間仕切り部の後側の壁面に固定される一方、左右隣り合うドア単体の内の前記出入口が存する側から遠いドア単体に連結されている前記取付部材の他端側の固定部は、前記出入口が存する側に近いドア単体の後面に固定されており、
又前記スライドドアの、少なくとも先頭に位置するドア単体の下部には、床部に接して左右方向で移動可能な支持部材が設けられており、
前記上下の摺動部材が前記上下の摺動溝を摺動することによって前記スライドドアが、前記出入口を閉じる方向に或いは開く方向に移動できることを特徴とする間仕切り用スライドドア装置。
【請求項４】
前記上下の横框部材に、前記摺動溝を正面側から覆うカバー片が装着されており、該カバー片と前記前方面部との間に収容間隙が設けられており、前記取付部材は、上部に連結部が設けられた後の取付片の下端と上部に固定部が設けられた前の取付片の下端とが繋ぎ片で連結されてなり、前記摺動溝に装着されている前記摺動部材に前記連結部が連結されて垂下状態にある前記後の取付片が前記収容間隙に収容されており、且つ前記繋ぎ片が前記カバー片に干渉しないことを特徴とする請求項１、２又は３記載の間仕切り用スライドドア装置。
【請求項５】
前記上下の横框部材に、前記摺動溝を正面側から覆うカバー片が左右方向でスライド可能に装着されており、該カバー片の、前記前方面部に向き合う後面の上部にスライド部が設けられており、該スライド部の上面と、前記上下の横框部材の前記前方面部の上部で前方に向けて突設された突出部の下面とが略当接状態となされており、該上面及び該下面の内の何れか一方に、入口が幅狭で且つ前記左右方向に延長する条溝としての第１の線状係合部が設けられると共に、その他方には、該条溝と前記左右方向でスライド可能に嵌合し得る突条としての第２の線状係合部が設けられており、
又前記スライド部の、前記前方面部に向き合う後面と、前記上下の横框部材の前記前方面部であって前記突出部の下方に位置する部分の前面とが略当接状態となされており、該後面及び該前面の何れか一方に、入口が幅狭で且つ左右方向に延長する条溝としての第３の線状係合部が設けられると共に、その他方には、該条溝と前記左右方向でスライド可能に嵌合し得る突条としての第４の線状係合部が設けられており、
又、前記スライド部の下端は、前記摺動溝の上縁に合致し或いは該上縁の上方部に位置されており、
又、前記カバー片の前記スライド部の下方に位置する下側部分と前記前方面部との間に収容間隙が設けられており、
又、該カバー片の両端は、前記ドア単体の左右両側に位置する左右の縦框部材に当接されて抜け止めされており、
前記取付部材は、上部に連結部が設けられた後の取付片の下端と上部に固定部が設けられた前の取付片の下端とが繋ぎ片で連結されてなり、前記摺動溝に装着されている前記摺動部材に前記連結部が連結されて垂下状態にある前記後の取付片が前記収容間隙に収容されており、且つ前記繋ぎ片が前記カバー片に干渉しないことを特徴とする請求項１、２又は３記載の間仕切り用スライドドア装置。
【請求項６】
請求項１、２又は３記載の間仕切り用スライドドア装置を構成するドア単体であって、上の横框部材と下の横框部材の夫々は、前記出入口が存する側に面する前方面部に、摺動部材を分離不能の係合状態で左右方向で摺動させるための摺動溝が、該前方面部を後方向に凹ませて一体に設けられていることを特徴とする間仕切り用スライドドア装置構成用ドア単体。
【請求項７】
請求項１、２又は３記載の間仕切り用スライドドア装置を構成するドア単体であって、上の横框部材と下の横框部材の夫々は、前記出入口が存する側に面する前方面部に、摺動部材を分離不能の係合状態で左右方向で摺動させるための摺動溝が、該前方面部を後方向に凹ませて一体に設けられており、又、該上下の横框部材には、該摺動溝を正面側から覆うカバー片が装着されており、該カバー片と前記前方面部との間に収容間隙が設けられており、前記取付部材は、上部に連結部が設けられた後の取付片の下端と上部に固定部が設けられた前の取付片の下端とが繋ぎ片で連結されてなり、前記摺動溝に装着されている前記摺動部材に前記連結部が連結されて垂下状態にある前記後の取付片が前記収容間隙に収容されており、且つ前記繋ぎ片が前記カバー片に干渉しないことを特徴とする間仕切り用スライドドア装置構成用ドア単体。
【請求項８】
請求項１、２又は３記載の間仕切り用スライドドア装置を構成するドア単体であって、上の横框部材と下の横框部材の夫々は、前記出入口が存する側に面する前方面部に、摺動部材を分離不能の係合状態で左右方向で摺動させるための摺動溝が、該前方面部を後方向に凹ませて一体に形成されており、
又、前記上下の横框部材には、該摺動溝を正面側から覆うカバー片が前記左右方向でスライド可能に装着されており、該カバー片の、前記前方面部に向き合う後面の上部にスライド部が設けられており、該スライド部の上面と、前記上下の框部材の前記前方面部の上部で前方に向けて突設された突出部の下面とが略当接状態となされており、該上面及び該下面の内の何れか一方に、入口が幅狭で且つ前記左右方向に延長する条溝としての第１の線状係合部が設けられると共に、その他方には、該条溝と前記左右方向でスライド可能に嵌合し得る突条としての第２の線状係合部が設けられており、
又前記スライド部の、前記前方面部に向き合う後面と、前記上下の横框部材の前記前方面部であって前記突出部の下方に位置する部分の前面とが略当接状態となされており、該内面及び該外面の何れか一方に、入口が幅狭で且つ左右方向に延長する条溝としての第３の線状係合部が設けられると共に、その他方には、該条溝と前記左右方向でスライド可能に嵌合し得る突条としての第４の線状係合部が設けられており、
該カバー片の前記スライド部の下方に位置する下側部分と前記前方面部との間に収容間隙が設けられており、
又、該カバー片の両端は、前記ドア単体の左右両側に位置する左右の縦框部材に当接されて抜け止めされており、
前記取付部材は、上部に連結部が設けられた後の取付片の下端と上部に固定部が設けられた前の取付片の下端とが繋ぎ片で連結されてなり、前記摺動溝に装着されている前記摺動部材に前記連結部が連結されて垂下状態にある前記後の取付片が前記収容間隙に収容されており、且つ前記繋ぎ片が前記カバー片に干渉しないことを特徴とする間仕切り用スライドドア装置構成用ドア単体。
【請求項９】
間仕切りの所要部位に設けられた、上端が開放された出入口を、その幅方向としての左右方向でスライド可能に開閉するスライドドアのドア単体を構成する框部材であって、
前記出入口が存する側に面する前方面部に、摺動部材を左右方向で、分離不能の係合状態で摺動させるための摺動溝が、該前方面部を後方向に凹ませて一体に設けられ、
該摺動溝は、前記横框部材の前後方向幅内において設けられ、且つ前記横框部材の左右方向に延長しており、又該摺動溝は、入口が幅狭で奧側が上下方向に長く拡張して該入口に連なる如く係合溝が形成されてなり、
前記摺動部材は、左右方向に長い矩形板部の上下に、前記摺動溝の前記係合溝に嵌まり合う上下の係合突部が設けられてなり、以て、前記摺動溝内にあって、前後方向及び上下方向の動きを規制されて左右方向の摺動のみが許容されるように構成されていることを特徴とする框部材。
【手続補正２】
【補正対象書類名】明細書
【補正対象項目名】全文
【補正方法】変更
【補正の内容】
【発明の詳細な説明】
【技術分野】
【０００１】
本発明は、ローパ−ティション等としての間仕切りに設けた出入口をスライドドアで開閉可能となされた間仕切り用スライドドア装置に関し、又、これを構成する間仕切り用スライドドア装置構成用ドア単体並びに框部材に関するものである。
【背景技術】
【０００２】
比較的大きなオフィース空間の一部を仕切って個別の空間を形成して会議室や打合せ室、金融機関等における相談室等を構成するために、背丈の低いパネルで構成されるローパ−ティションが多用されている。
【０００３】
かかるローパ−ティションで形成された区画空間の出入口は解放状態とされることも多いが、該出入口から区画空間の内部が丸見えとなるのを防止するために該出入口をスライドドアで開閉可能とすることも行われている。
【０００４】
特許文献１記載のローパ−ティション用のスライドドア装置ａはかかる要求に応えんとするものであった。該スライドドア装置ａは図３６に示すように、ローパ−ティションｂを構成するパネルｃの上下部の表面ｄ，ｅに別体のパネル側レールｆ，ｆが固定されると共に、スライドドアｇの上下部の表面ｈ，ｊに別体のドア側レールｋ，ｋが固定されており、向き合うパネル側レールｆとドア側レールｋとが、球体ｍを介して中レールｎに組み合わされていた。そして、図３７（Ａ）に示すように出入口ｐが開口している状態から、図３７（Ｂ）に示すように出入口ｐを閉じた状態とする場合は、該スライドドアｇを、前記ドア側レールｋと共に前記球体ｍを介してスライドさせる。該スライドドアｇがこのようにスライドして、前記ドア側レールｋが前記中レールｎの先端に当たると、該中レールｎが該ドア側レールｋに引っ張られてスライドでき、これによって該スライドドアｇが前記出入口ｐを閉じるようになされていた。
【０００５】
しかしながら、かかる構成のスライドドアｇを用いてなるスライドドア装置ａによるときは、前記パネル側レールｆと前記ドア側レールｋと前記中レールｎとからなるスライド構造部ｑの全体が前記パネルｃと前記スライドドアｇとの間に存在していたため、図３８に示すように、該スライドドアｇの基部側の部分ｒと前記パネルｃの端部側の部分ｓとの間に比較的大きな隙間ｔが生ずることとなり、この隙間ｔを通して内部が見える恐れもあって好ましくなかった。
【０００６】
又該スライド構造部ｑが、前記出入口ｐの幅方向で見て幅広であったことから、スライドドアが占める該幅方向のスペースが大きくなってスペースが無駄に使われる問題があった。加えて、前記スライド構造部ｑが前記パネルｃの表面ｄ，ｅ及び前記スライドドアｇの表面ｈ，ｊで大きく突出しているために該スライド構造部ｑの見栄えが悪く、それ故、前記出入口部分の見栄えが悪い問題があった。
【０００７】
又、前記パネル側レールｆをパネルｃに取り付け、且つ、前記ドア側レールｋをスライドドアｇに取り付ける必要があり、その際、これらを正確に位置決めしてビスやボルト等を用いて取り付けなければならないために、スライドドア装置の構成に手間を要して施工能率が悪く、又、スライドドア装置のコスト上昇を招く問題があった。
【０００８】
更に、前記スライド構造部ｑが剥き出しの状態にあったため、スライドドアｇの開閉操作中においてスライド部分に手指が挟まる等の危険があった他、スライド構造部ｑが埃等で汚れやすい問題もあった。
【先行技術文献】
【特許文献】
【０００９】
【特許文献１】特開２００８−７９４２号公報
【発明の概要】
【発明が解決しようとする課題】
【００１０】
本発明は前記従来の問題点に鑑みて開発されたものであり、構造簡素で安定性に優れ、簡易に構成でき、しかも全体をコンパクトに見栄えよく構成し得る間仕切り用スライドドア装置の提供を課題とするものであり、又、これを構成するに好適なドア単体、框部材の提供を課題とするものである。
【課題を解決するための手段】
【００１１】
前記課題を解決するため本発明は以下の手段を採用する。
即ち本発明に係る間仕切り用スライドドア装置の第１の態様は、間仕切りの所要部位に設けられた、上端が開放された出入口が、１枚のドア単体を以て構成されたスライドドアで開閉可能となされた間仕切り用スライドドア装置であって、該出入口の幅方向を左右方向とし、該出入口の出入り方向を前後方向としたとき、該出入口が開口された状態で、該スライドドアが、前記出入口の左右方向で見た一方側に存する一方側間仕切り部の後側に重なり合うようになされており、前記ドア単体を構成する上の横框部材と下の横框部材の夫々は、該出入口が存する側に面する前方面部に、摺動部材を分離不能の係合状態で左右方向で摺動させるための摺動溝が、該前方面部を後方向に凹ませて一体に設けられている。該摺動溝は、前記横框部材の前後方向幅内において設けられ、且つ前記横框部材の左右方向に延長しており、又該摺動溝は、入口が幅狭で奧側が上下方向に長く拡張して該入口に連なる如く係合溝が形成されてなり、前記摺動部材は、左右方向に長い矩形板部の上下に、前記摺動溝の前記係合溝に嵌まり合う上下の係合突部が設けられてなり、以て、前記摺動溝内にあって、前後方向及び上下方向の動きを規制されて左右方向の摺動のみが許容されるように構成されている。該摺動溝に装着されている前記摺動部材には、取付部材の一端側の連結部が連結されており、該取付部材の他端側の固定部が前記一方側間仕切り部の後側の側面に固定されており、前記上下の摺動部材が前記上下の摺動溝を摺動することによって前記スライドドアが、前記出入口を閉じる方向に或いは開く方向にスライドできることを特徴とするものである。
【００１２】
本発明に係る間仕切り用スライドドア装置の第２の態様は、間仕切りの所要部位に設けられた、上端が開放された出入口が、１枚のドア単体を以て構成されたスライドドアで開閉可能となされた間仕切り用スライドドア装置であって、該出入口の幅方向を左右方向とし、該出入口の出入り方向を前後方向としたとき、該出入口が開口された状態で、該スライドドアが、前記出入口の左右方向で見た一方側に存する一方側間仕切り部の後側に重なり合うようになされており、前記ドア単体を構成する上の横框部材と下の横框部材の夫々は、該出入口が存する側に面する前方面部に、摺動部材を分離不能の係合状態で左右方向で摺動させるための摺動溝が、該前方面部を後方向に凹ませて一体に設けられている。該摺動溝は、前記横框部材の前後方向幅内において設けられ、且つ前記横框部材の左右方向に延長しており、又該摺動溝は、入口が幅狭で奧側が上下方向に長く拡張して該入口に連なる如く係合溝が形成されてなり、前記摺動部材は、左右方向に長い矩形板部の上下に、前記摺動溝の前記係合溝に嵌まり合う上下の係合突部が設けられてなり、以て、前記摺動溝内にあって、前後方向及び上下方向の動きを規制されて左右方向の摺動のみが許容されるように構成されている。そして、該摺動溝に装着されている前記摺動部材には、取付部材の一端側の連結部が連結されており、該取付部材の他端側の固定部が前記一方側間仕切り部の後側の側面に固定されており、又前記スライドドアの下部には、床部に接して左右方向で移動可能な支持部材が設けられており、前記上下の摺動部材が前記上下の摺動溝を摺動することによって前記スライドドアが、前記出入口を閉じる方向に或いは開く方向にスライドできることを特徴とするものである。
【００１３】
本発明に係る間仕切り用スライドドア装置の第３の態様は、間仕切りの所要部位に設けられた、上端が開放された出入口が、スライドドアで開閉可能となされた間仕切り用スライドドア装置であって、該出入口の幅方向を左右方向とし、該出入口の出入り方向を前後方向としたとき、該スライドドアは、複数枚のドア単体を以て構成され、左右隣り合う該ドア単体は、相互が左右方向でスライド可能に連結されており、前記出入口が開口された状態で、該複数枚のドア単体が、前記出入口の左右方向で見た一方側に存する一方側間仕切り部の後側に重なり合うようになされており、各ドア単体は、これを構成する上の横框部材と下の横框部材の夫々が、前記出入口が存する側に面する前方面部に、摺動部材を分離不能の係合状態で左右方向で摺動させるための摺動溝が、該前方面部を後方向に凹ませて一体に設けられている。該摺動溝は、前記横框部材の前後方向幅内において設けられ、且つ前記横框部材の左右方向に延長しており、又該摺動溝は、入口が幅狭で奧側が上下方向に長く拡張して該入口に連なる如く係合溝が形成されてなり、前記摺動部材は、左右方向に長い矩形板部の上下に、前記摺動溝の前記係合溝に嵌まり合う上下の係合突部が設けられてなり、以て、前記摺動溝内にあって、前後方向及び上下方向の動きを規制されて左右方向の摺動のみが許容されるように構成されており、該摺動溝に装着されている前記摺動部材には、取付部材の一端側の連結部が連結されており、前記スライドドアの、端部に位置するドア単体に連結されている前記取付部材の他端側の固定部が、前記一方側間仕切り部の後側の壁面に固定される一方、左右隣り合うドア単体の内の前記出入口が存する側から遠いドア単体に連結されている前記取付部材の他端側の固定部は、前記出入口が存する側に近いドア単体の後面に固定されている。又前記スライドドアの、少なくとも先頭に位置するドア単体の下部には、床部に接して左右方向で移動可能な支持部材が設けられており、前記上下の摺動部材が前記上下の摺動溝を摺動することによって前記スライドドアが、前記出入口を閉じる方向に或いは開く方向に移動できることを特徴とするものである。
【００１４】
前記第１、第２、第３の態様において、前記上下の横框部材に、前記摺動溝を正面側から覆うカバー片が装着されたものとし、該カバー片と前記前方面部との間に収容間隙が設けられたものとし、前記取付部材は、上部に連結部が設けられた後の取付片の下端と上部に固定部が設けられた前の取付片の下端とが繋ぎ片で連結されたものとし、前記摺動溝に装着されている前記摺動部材に前記連結部が連結されて垂下状態にある前記後の取付片が前記収容間隙に収容され、且つ前記繋ぎ片が前記カバー片に干渉しないように構成するのがよい。
【００１５】
本発明に係る間仕切り用スライドドア装置は、前記第１、第２、第３の態様において、下記構成を有するものとして構成するのがよい。即ち、前記上下の横框部材に、前記摺動溝を正面側から覆うカバー片が左右方向でスライド可能に装着されており、該カバー片の、前記前方面部に向き合う後面の上部にスライド部が設けられており、該スライド部の上面と、前記上下の横框部材の前記前方面部の上部で前方に向けて突設された突出部の下面とが略当接状態となされており、該上面及び該下面の内の何れか一方に、入口が幅狭で且つ前記左右方向に延長する条溝としての第１の線状係合部が設けられると共に、その他方には、該条溝と前記左右方向でスライド可能に嵌合し得る突条としての第２の線状係合部が設けられており、又前記スライド部の、前記前方面部に向き合う後面と、前記上下の横框部材の前記前方面部であって前記突出部の下方に位置する部分の前面とが略当接状態となされており、該後面及び該前面の何れか一方に、入口が幅狭で且つ左右方向に延長する条溝としての第３の線状係合部が設けられると共に、その他方には、該条溝と前記左右方向でスライド可能に嵌合し得る突条としての第４の線状係合部が設けられたものとし、又、前記スライド部の下端は、前記摺動溝の上縁に合致し或いは該上縁の上方部に位置されており、又、前記カバー片の前記スライド部の下方に位置する下側部分と前記前方面部との間に収容間隙が設けられており、又、該カバー片の両端は、前記ドア単体の左右両側に位置する左右の縦框部材に当接されて抜け止めされたものとし、前記取付部材は、上部に連結部が設けられた後の取付片の下端と上部に固定部が設けられた前の取付片の下端とが繋ぎ片で連結されてなり、前記摺動溝に装着されている前記摺動部材に前記連結部が連結されて垂下状態にある前記後の取付片が前記収容間隙に収容されており、且つ前記繋ぎ片が前記カバー片に干渉しないように構成するのがよい。
【００１６】
本発明に係る間仕切り用スライドドア装置構成用ドア単体は、前記第１、第２、第３の態様に係る間仕切り用スライドドア装置を構成するドア単体であって、上の横框部材と下の横框部材の夫々は、前記出入口が存する側に面する前方面部に、摺動部材を分離不能の係合状態で左右方向で摺動させるための摺動溝が、該前方面部を後方向に凹ませて一体に設けられていることを特徴とするものである。
【００１７】
本発明に係る間仕切り用スライドドア装置構成用ドア単体の他の態様は、前記第１、第２、第３の態様に係る間仕切り用スライドドア装置を構成するドア単体であって、上の横框部材と下の横框部材の夫々は、前記出入口が存する側に面する前方面部に、摺動部材を分離不能の係合状態で左右方向で摺動させるための摺動溝が、該前方面部を後方向に凹ませて一体に設けられており、又、該上下の横框部材には、該摺動溝を正面側から覆うカバー片が装着されており、該カバー片と前記前方面部との間に収容間隙が設けられており、前記取付部材は、上部に連結部が設けられた後の取付片の下端と上部に固定部が設けられた前の取付片の下端とが繋ぎ片で連結されてなり、前記摺動溝に装着されている前記摺動部材に前記連結部が連結されて垂下状態にある前記後の取付片が前記収容間隙に収容されており、且つ前記繋ぎ片が前記カバー片に干渉しないことを特徴とするものである。
【００１８】
本発明に係る間仕切り用スライドドア装置構成用ドア単体の他の態様は、前記第１、第２、第３の態様に係る間仕切り用スライドドア装置を構成するドア単体であって、上の横框部材と下の横框部材の夫々は、前記出入口が存する側に面する前方面部に、摺動部材を分離不能の係合状態で左右方向で摺動させるための摺動溝が、該前方面部を後方向に凹ませて一体に形成されている。そして、前記上下の横框部材には、該摺動溝を正面側から覆うカバー片が前記左右方向でスライド可能に装着されており、該カバー片の、前記前方面部に向き合う後面の上部にスライド部が設けられており、該スライド部の上面と、前記上下の框部材の前記前方面部の上部で前方に向けて突設された突出部の下面とが略当接状態となされており、該上面及び該下面の内の何れか一方に、入口が幅狭で且つ前記左右方向に延長する条溝としての第１の線状係合部が設けられると共に、その他方には、該条溝と前記左右方向でスライド可能に嵌合し得る突条としての第２の線状係合部が設けられている。又前記スライド部の、前記前方面部に向き合う後面と、前記上下の横框部材の前記前方面部であって前記突出部の下方に位置する部分の前面とが略当接状態となされており、該内面及び該外面の何れか一方に、入口が幅狭で且つ左右方向に延長する条溝としての第３の線状係合部が設けられると共に、その他方には、該条溝と前記左右方向でスライド可能に嵌合し得る突条としての第４の線状係合部が設けられており、該カバー片の前記スライド部の下方に位置する下側部分と前記前方面部との間に収容間隙が設けられており、又、該カバー片の両端は、前記ドア単体の左右両側に位置する左右の縦框部材に当接されて抜け止めされており、前記取付部材は、上部に連結部が設けられた後の取付片の下端と上部に固定部が設けられた前の取付片の下端とが繋ぎ片で連結されてなり、前記摺動溝に装着されている前記摺動部材に前記連結部が連結されて垂下状態にある前記後の取付片が前記収容間隙に収容されており、且つ前記繋ぎ片が前記カバー片に干渉しないを特徴とするものである。
【００１９】
本発明に係る框部材は、間仕切りの所要部位に設けられた、上端が開放された出入口を、その幅方向としての左右方向でスライド可能に開閉するスライドドアのドア単体を構成する框部材であって、前記出入口が存する側に面する前方面部に、摺動部材を左右方向で、分離不能の係合状態で摺動させるための摺動溝が、該前方面部を後方向に凹ませて一体に設けられて、該摺動溝は、前記横框部材の前後方向幅内において設けられ、且つ前記横框部材の左右方向に延長しており、又該摺動溝は、入口が幅狭で奧側が上下方向に長く拡張して該入口に連なる如く係合溝が形成されてなり、前記摺動部材は、左右方向に長い矩形板部の上下に、前記摺動溝の前記係合溝に嵌まり合う上下の係合突部が設けられてなり、以て、前記摺動溝内にあって、前後方向及び上下方向の動きを規制されて左右方向の摺動のみが許容されるように構成されていることを特徴とするものである。
【発明の効果】
【００２０】
本発明は以下の如き優れた効果を奏する。
(1) 本発明に係るスライドドア装置は、これを構成するドア単体の上下の横框部材の夫々が、間仕切りの所要部位に設けられた出入口の存する側に面する前方面部に、摺動部材を摺動させるための摺動溝が、該前方面部を後方向に凹ませて一体に設けられている。
そのため、パネル側レールとドア側レールを間仕切りやスライドドアに後付けする特許文献１記載のスライドドア装置における場合とは異なり、これらの特別な部品を必要とせず、又、これらを所要に位置決めしてビス固定やボルト固定等する作業が不要となる。従って本発明によるときは、間仕切りスライドドア装置の構造を簡素化でき、生産性向上と製造コストの低減を期し得ることとなる。
【００２１】
(2) 又、摺動溝が前記前方面部を後方向に凹ませて一体に設けられていることから、特別な部品を間仕切りやスライドドアの表面で突設する場合に比し、間仕切りと端部のドア単体との間の間隙を小さく設定でき、又、前後隣り合うドア単体間の間隙を小さく設定できる。かかることから、上下の横框部材が摺動溝を具えるにも拘らず、前記出入口の出入り方向で見たスライドドア装置の全体厚さをより小さく設定できることとなる。かかることから、間仕切りスライドドア装置の全体をコンパクトに見栄えよく構成でき、省スペース化を達成できる。
【００２２】
又、前記スライドドアが前記出入口を閉じた状態において、該スライドドアが複数枚のドア単体からなるときは、端部に位置するドア単体の戸尻側部分と前記間仕切りの後側の壁面との間の間隙を小さくできると共に、前後方向で隣り合うドア単体の戸先側部分と戸尻側部分との間の間隙も小さくできる。又、該スライドドアが１枚のドア単体からなるときは、該ドア単体の戸尻側部分と前記間仕切りの後側の壁面との間の間隙を小さくできる。かかることから、該スライドドア装置を、例えば金融相談室の区画空間に設けられる出入口に応用した場合、特許文献１における場合とは異なり、該間隙を通して区画空間の内部が見えにくい利点がある。
【００２３】
(3) 又本発明に係るスライドドア装置が、前記スライドドアが複数枚のドア単体からなるときは、ドア単体を構成する上下の横框部材が前記取付部材を介して前記間仕切りの後側の壁面、前記出入口により近いドア単体の後面に支持されており、且つ、スライドドアの少なくとも先頭に位置するドア単体の下部に、床部に接して左右方向で移動可能な支持部材が設けられている。従ってこの場合は、前記出入口の上端が開放状態にあってスライドドアの上端がフリ−の状態にあるにも拘わらず、スライドドアは、前記出入口を閉じる方向に或いは開く方向に安定的にスライドできる。
【００２４】
前記スライドドアが１枚のドア単体からなるときも、ドア単体を構成する上下の横框部材が前記取付部材を介して前記間仕切りの後側の壁面、前記出入口により近いドア単体の後面に支持されているため、同様に、該スライドドアは、前記出入口を閉じる方向に或いは開く方向に安定的にスライドできる。１枚のドア単体を以てスライドドアが構成されるときは、該スライドドアが比較的軽量であるためにかかる安定的なスライドが可能となるのであるが、１枚のドア単体を以てスライドドアを構成する場合において、該スライドドアの下部に、床部に接して左右方向で移動可能な支持部材を設けるときは、一層安定的なスライドが可能となる。
【００２５】
(4) 前記ドア単体の有する上下の框部材に、前記摺動溝を正面側から覆うカバ−片を装着することとし、該カバ−片と前記前方面部との間に収容間隙を設ける構成を採用する場合は、前記摺動溝を摺動する摺動部材に手指が挟まる恐れがなく安全であり、又、該摺動溝に埃等が付着するのを防止できると共に、該摺動部材の摺動状態が前記カバ−片に覆い隠されて目視不能となるため、摺動構造部分の見栄えを向上させ得る。そしてこれらのことを、摺動部材の摺動動作を何ら阻害することなく実現できる。
【００２６】
(5) 前記カバー片を、前記第１、第２の線状係合部を前記左右方向でスライド可能に嵌合させ且つ、前記第３、第４の線状係合部を左右方向でスライド可能に嵌合させて前記上下の横框部材に装着することにより、該カバー片を該上下の横框部材に安定状態で簡易に装着できる。そしてこの際、前記カバ−片の両端が、前記ドア単体の左右両側に位置する左右の縦框部材に当接されて抜け止めされるように構成することにより、該カバ−片を、何らビス固定等することなく、上下の横框部材に簡易且つ確実に固定状態となし得、しかも、ビス等の固定手段を用いないためカバー片の美観を損なうこともない。
【００２７】
(6) 本発明に係るドア単体、框部材は、前記優れた効果を奏するスライドドア装置を構成できる。
【図面の簡単な説明】
【００２８】
【図１】本発明に係るスライド装置を、スライドドアが出入口を閉じた状態と開いた状態で示す斜視図である。
【図２】スライドドアが出入口を開いた状態で示す斜視図である。
【図３】スライドドアを示す斜視図である。
【図４】スライドドアを構成するドア単体の構成を示す斜視図である。
【図５】スライドドア装置を説明する断面図である。
【図６】上の横框部材と、摺動部材と、カバ−片と、取付部材を示す斜視図である。
【図７】上の横框部材に摺動部材とカバ−片を装着すると共に、該摺動部材に取付部材を連結した状態を示す断面図である。
【図８】下の横框部材と、摺動部材と、カバ−片と、取付部材を示す斜視図である。
【図９】下の横框部材に摺動部材とカバ−片を装着すると共に、該摺動部材に取付部材を連結した状態を示す断面図である。
【図１０】上の横框部材の右の端部分と右の縦框部材の上の端部分の構成を示す斜視図と、該右の端部分と上の端部分とを嵌め合わせて連結した状態を示す斜視図である。
【図１１】上の横框部材の左の端部分と左の横框部材の上の端部分の構成を示す斜視図と、該左の端部分と該上の端部分とを嵌め合わせて連結した状態を示す斜視図である。
【図１２】上の横框部材の摺動溝に装着されている２個の摺動部材に対して取付部材の連結部を連結し、然る後に該連結部分をカバ−片で覆う工程を説明する斜視図である。
【図１３】下の横框部材の摺動溝に装着されている１個の摺動部材に取付部材の連結部を連結し、該連結部分をカバ−片で覆う工程を説明する斜視図である。
【図１４】前のドア単体において、その摺動溝を摺動する摺動部材の摺動範囲と、カバ−片の抜け止め作用を説明する断面図である。
【図１５】後のドア単体において、その摺動溝を摺動する摺動部材の移動範囲と、カバ−片の抜け止め作用を説明する断面図である。
【図１６】前のドア単体において、カバ−片の抜け止め作用を説明する断面図である。
【図１７】後のドア単体において、カバ−片の抜け止め作用を説明する説明図である。
【図１８】前後のドア単体を取付部材を介して連結すると共に前のドア単体を一方側間仕切り部の後側の壁面に固定した状態を示す平面図である。
【図１９】前のドア単体の上下の横框部材を取付部材を介して、一方側間仕切り部の後側の壁面の上下部位に固定した状態と、後のドア単体の上下の横框部材を取付部材を介して、前のドア単体の後面の上下部位に固定した状態を示す断面図である。
【図２０】出入口をスライドドアで閉じる操作を説明する説明図である。
【図２１】その場合において、上の摺動部材がストッパ部に当接した状態を示す説明図である。
【図２２】出入口を開く操作を説明する説明図である。
【図２３】その場合における上の摺動部材とストッパ部との当接状態を説明する説明図である。
【図２４】ハイパ−ティションを用いて構成された間仕切りを構成する引戸の内の１枚を開いて形成された開口部を示す正面図と、その開口部の下側部分をなす出入口にスライドドア装置を設けて該出入口をスライドドアで閉じた状態を示す正面図である。
【図２５】前記出入口をスライドドアで閉じた状態を示す斜視図である。
【図２６】その出入口をスライドドアで閉じた状態と該出入口を開いた状態を示す平面図である。
【図２７】出入口の左右の端部側の夫々にスライドドアを設けて構成されたスライドドア装置を、スライドドアが出入口を開いた状態と閉じた状態で示す正面図である。
【図２８】１枚のドア単体を以てなるスライドドアを用いて構成されたスライドドア装置を、出入口を閉じた状態と開いた状態で示す斜視図である。
【図２９】１枚のドア単体を以てなるスライドドアが出入口の両側に取り付けられてなるスライドドア装置を、該出入口が開いた状態と閉じた状態で示す正面図である。
【図３０】３枚のドア単体を以てなるスライドドアを用いて構成されたスライドドア装置を、出入口を開いた状態と閉じた状態で示す正面図である。
【図３１】その平面図である。
【図３２】摺動部材を摺動溝に対して分離不能の係合状態とした他の構成を示す斜視図と断面図である。
【図３３】突条としての第２の線状係合部と第４の線状係合部を前記スライド部に設けた場合を示す断面図である。
【図３４】前後を逆にして構成されたスライドドア装置を、出入口を開いた状態と閉じた状態で示す正面図である。
【図３５】上下の横框部材の前方面部の両端側において、該前方面部とカバ−片との間にスポンジ片を圧縮状態で介在させる場合を説明する斜視図と断面図である。
【図３６】従来のスライドドア装置を説明する側面図である。
【図３７】該スライドドア装置のスライドドアが開放部を開いた状態と閉じた状態を示す平面図である。
【図３８】スライドドアが開口部を閉じた状態において発生する、スライドドアの基部側の部分とパネルの端部側の部分との間に生じた比較的大きな間隙を示す断面図である。
【発明を実施するための形態】
【実施例１】
【００２９】
図１において本発明に係る間仕切り用スライドドア装置（以下、スライドドア装置という）１は、間仕切り２の所要部位に設けられた出入口３が、スライドドア５で開閉可能となされている。本実施例において、該出入口３の幅方向を左右方向Ｆ１とし、図１において向って左側を左、右側を右とする。又、該出入口３の出入方向を前後方向Ｆ２とし、図１において出入口に面する側を前、その逆側を後とする。
【００３０】
前記スライドドア５は、図１〜３に示すように、２枚のドア単体６，６を以て構成され、左右隣り合う該ドア単体６，６は、相互が左右方向Ｆ１でスライド可能に連結されており、前記出入口３が開口された状態で、該２枚のドア単体６，６が、前記出入口３の左右方向Ｆ１で見た一方側（図１においては左側）に存する一方側間仕切り部７の後側９に重なり合うようになされている。
【００３１】
各ドア単体６，６は、図４〜７に示すように、これを構成する上の横框部材１０と下の横框部材１１の夫々が、前記出入口３に面する前方面部１２に、摺動部材１３を分離不能の係合状態で左右方向Ｆ１で摺動させるための摺動溝１５が、該前方面部１２を後方向に凹ませて一体に設けられており、該摺動溝１５に装着されている前記摺動部材１３には、取付部材１６の一端側の連結部１７が連結される。
【００３２】
又、前記スライドドアの、左右隣り合うドア単体６，６の内の前記出入口３が存する側に近いドア単体６ａに連結されている前記取付部材１６の他端側の固定部２０が、図５に示すように、前記一方側間仕切り部７の後側の壁面２１に固定される一方、左右隣り合うドア単体６，６の内の前記出入口３が存する側から遠いドア単体６ｂに連結されている前記取付部材１６の他端側の固定部２０は、前記出入口３が存する側に近い該ドア単体６ａの後面２２に固定されている。
【００３３】
又前記スライドドア５の、少なくとも先頭に位置するドア単体６ｂの下部２４には、図３〜５に示すように、床部２３に接して左右方向で移動可能な支持部材２５が設けられている。そして、前記上下の摺動部材１３，１３が前記上下の摺動溝１５，１５を摺動することによって前記スライドドア５が、前記出入口３を閉じる方向に或いは開く方向に移動（相対的な移動）できるようになされている。
【００３４】
又、前記上下の框部材１０，１１には、図３〜７に示すように、前記摺動溝１５を正面側から覆うカバー片１９が前記左右方向Ｆ１でスライド可能に装着されており、該カバー片１９の、前記前方面部１２に向き合う後面７９（図６）の上部にスライド部８０（図５〜７）が設けられている。そして図６〜７に示すように、該スライド部８０の上面８１と、前記上下の框部材１０，１１の前記前方面部１２，１２の上部分で前方に向けて突設された突出部５０の下面６８とが略当接状態となされており、該上面８１と該下面６８の内の何れか一方に、入口が幅狭で且つ左右方向Ｆ１に延長する条溝８２ａとしての第１の線状係合部８２が設けられると共に、その他方には、該条溝８２ａと略密接状態で前記左右方向Ｆ１でスライド可能に嵌合し得る突条６９ａとしての第２の線状係合部６９が設けられている。
【００３５】
又、前記スライド部８０の、前記前方面部１２に向き合う後面８３と、前記上下の框部材１０，１１の前記前方面部１２であって前記突出部５０の下方に位置する部分の前面５１とが略当接状態となされており、該後面８３及び該前面５１の何れか一方に、入口が幅狭で且つ左右方向Ｆ１に延長する条溝８５ａとしての第３の線状係合部８５が設けられると共に、その他方には、該条溝８５ａと略密接状態で前記左右方向Ｆ１でスライド可能に嵌合し得る突条７０ａとしての第４の線状係合部７０が設けられている。
【００３６】
これをより具体的に説明すれば次の通りである。即ち、前記間仕切り２は本実施例においては図１〜２に示すように、比較的大きなオフィース空間の一部を仕切って個別の区画空間２６を形成して会議室や打合せ室、金融機関等における相談室等を構成するためのローパ−ティション２７として構成されている。本実施例において該ローパ−ティション２７は、例えば１４００ｍｍ程度の背丈の低いパネルで構成されており、その所要部位に設けられた出入口３の上端２８は開放されている。そのため、該区画空間２６に、該出入口３を通して人が障害なく移動できる。
【００３７】
該出入口３を開閉可能とする前記スライドドア５は、図１〜２に示すように２枚のドア単体６，６を以て構成されており、左右隣り合うドア単体６，６相互は、左右方向Ｆ１でスライド可能に連結されている。該ドア単体６，６は図４に示すように、左右の縦框部材２９，３０の上の端部分３１，３１間と下の端部分３２，３２間に前記上下の横框部材１０，１１が配置されて全体が矩形状に枠組されると共に、枠組３３で区画された開口部を覆う面材３６の縁部分３７が、図５に示すように、該枠組３３の内周面部の周方向に設けられた嵌入固定溝３９に嵌入されてパッキン４０を介して固定されることによって構成されている。
【００３８】
そして図４と、後のドア単体６ｂに係る図８〜９、図１０〜１１、図１２〜１３に示すように、前記上下の横框部材１０，１１と前記左右の縦框部材２９，３０は、例えばアルミニウム押出形材を以て構成されており、全体として角筒状を呈している。このように枠組みする際、前記上下の横框部材１０，１１の接合端部分３８と前記左右の縦框部材２９，３０の接合端部分４４とは、所要に欠切されて嵌め合わされている。なお図１０、１１における矢印は、前記カバ−片１９を装着する際のその移動方向を示している。又図１０（Ｂ）における符号４８は、前記後のドア単体６ｂの戸先側に付設されている戸当りである。
【００３９】
前記上の横框部材１０は、図６に示すように、その上面部４１の上面４２が水平面に形成されると共に、前記出入口３が存する側に面する前方面部１２は屈曲面部として形成され、該前方面部１２と対向する後方面部４３の後面４５は垂直面として形成され、下面部４６の下面４７は水平面を呈し、該下面部４７に、前記嵌入固定溝３９の挿入開口４９が設けられている。そして該前方面部１２は、その上部分に、前方に突出する略角筒状を呈した突出部５０が庇状に設けられており、該突出部５０の下方に位置する部分の前面５１は垂直面として形成されている。そして該前方面部１２の上下方向で見た中央部分は、後方向に凹むように屈曲されており、入口５２が幅狭で奥側が矩形状に拡張し且つ該入口５２側の上下の部分に上下の係合溝５３，５３が形成されてなる前記摺動溝１５が一体に設けられている。
【００４０】
前記摺動部材１３は、前記摺動溝１５に嵌合されて左右方向Ｆ１で摺動可能の、左右方向Ｆ１に長い矩形板部５５の上下に、前記上下の係合溝５３，５３に嵌まり合う上下の係合突部５６，５６が設けられてなり、該矩形板部５５の前端面５７は前記入口５２から前方に若干突出する如く構成されている。又該前端面５７の左右両側には、該矩形板部５５を前後方向で貫通するネジ孔５９，５９が設けられている。かかる構成を有する摺動部材１３は、図４〜５、図７に示すように、前記上下の係合突部５６，５６が前記上下の係合溝５３，５３に嵌まり合った分離不能の係合状態で、前記摺動溝１５を左右方向Ｆ１で摺動できる。該摺動部材１３の左右方向Ｆ１での長さは、例えば５０ｍｍに設定されている。
【００４１】
前記上の横框部材１０が有する前記突出部５０は、図６〜７に示すように、前記上面部４１の前端６０で垂下する垂下片部６１の下端６２で、後方に突出する水平片部６３が連設されることによって設けられており、該水平片部６３の水平下面６５の後端６６で、前記前面５１の上端６７が連なっている。そして該水平下面６５（突出部５０の下面６８）の略長手中央線に沿って、断面円形状を呈し且つ左右方向に延長する突条６９ａとしての前記第２の線状係合部６９が下方に向けて突設されており、前記前面５１の中間部分には、左右方向Ｆ１に延長する断面円形状を呈する突条７０ａとしての前記第４の線状係合部７０が前方に向けて突設されている。
【００４２】
又図６に示すように、前記前方面部１２の下側部分７１と前記後方面部４３の下側部分７２との間には前記嵌入固定溝３９が形成されており、該嵌入固定溝３９の頂板部には、断面Ｃ字状を呈するビスポケット７５を構成するＣ字状突条部７６が左右方向Ｆ１に延長する如く設けられている。
【００４３】
前記カバー片１９は、本実施例においては図６〜７に示すように、アルミニウム押出形材として構成されており、垂直板部７７の後面７９の上部分に断面矩形状を呈するスライド部８０が左右方向Ｆ１に延長する如く設けられている。該スライド部８０の上面８１の略長手中央線に沿って、条溝８２ａとしての前記第１の線状係合部８２が設けられており、該スライド部８０の後面８３の略長手中央線に沿って、条溝８５ａとしての前記第３の線状係合部８５が設けられている。
【００４４】
そして、該スライド部８０の上面８１と前記突出部５０の下面６８とは略当接状態となされると共に、該スライド部８０の前記後面８３と、前記前方面部１２の前記前面５１とが略当接状態となされている。
【００４５】
然して、条溝８２ａとしての前記第１の線状係合部８２と、突条６９ａとしての前記第２の線状係合部６９とを、且つ、条溝８５ａとしての前記第３の線状係合部８５と、突条７０ａとしての前記第４の線状係合部７０とを夫々、略密接状態で嵌合させることにより、前記カバー片１９は図１０に示すように左右方向Ｆ１でスライド可能となる。
【００４６】
そして図７に示すように、前記スライド部８０の下端８６は、前記摺動溝１５の前記入口５２の上縁８７の稍上方部に位置されており、又、前記カバー片１９と前記前方面部１２との間に収容間隙９０が設けられている。本実施例においては、該カバ−片１９の前記スライド部８０の下方に位置する下側部分８９と前記前方面部１２との間に収容間隙９０が設けられており、又本実施例においては、該カバー片１９の、前記出入口３が存する側に面する前面９１と前記突出部５０の前面９２は略面一状態に形成されている。
【００４７】
前記下の横框部材１１は図８〜９に示すように、断面Ｈ形を呈する略角筒状を呈しており、その上側部分には、前記突出部５０と前記摺動溝１５と前記嵌入固定溝３９を構成する角筒部９５が設けられると共に、その下側部分には、図５に示すように戸車２５ａを収容するための、戸車収容溝部９６が設けられている。
【００４８】
そして該下の横框部材１１の上面部９７の上面９９は水平面に形成されると共に、前記出入口３が存する側に面する前方面部１２は屈曲面部として形成され、該前方面部１２と対向する後方面部９９の後面１００は垂直面として形成され、下面部１０１の下面１０２は水平面を呈し、該上面部９７に、前記嵌入固定溝３９の挿入開口１０３が設けられている。該前方面部１２は、その上部分に、前方に突出する突出部５０が設けられており、該突出部５０の下方に位置する部分の前面５１は、本実施例においては垂直面として形成されている。
【００４９】
前記突出部５０は、図８〜９に示すように、前記上面部９７の前端１０５で前方に一連に庇状に突出する水平板状を呈しており、その水平下面１０６（突出部５０の下面６８）の後端１０７に、前記前面５１の上端１０９が連なっている。そして該水平下面１０６の略長手中央線に沿って、断面円形状を呈し且つ左右方向Ｆ１に延長する突条６９ａとしての第２の線状係合部６９が下方に向けて突設されており、前記垂直な前面５１の上下中央部位には、断面円形状を呈し且つ左右方向に延長する突条７０ａとしての第４の線状係合部７０が前方に向けて突設されている。
【００５０】
そして該前方面部１２の上下方向で見た上側部分は、後方向に凹むように屈曲されており、入口５２が幅狭で奥側が矩形状に拡張して該入口５２側の上下の部分に上下の係合溝５３，５３が形成されてなる前記摺動溝１５が一体に設けられている。
【００５１】
前記摺動部材１３は、図８〜９に示すように、該摺動溝１５に嵌合されて左右方向Ｆ１で摺動可能の、左右方向に長い矩形板部５５の上下に、前記上下の係合溝５３，５３に嵌まり合う上下の係合突部５６，５６が設けられてなり、該矩形板部５５の前端面５７は、前記入口５２から前方に若干突出する如く構成されている。又該前端面５７の左右両側には、該矩形板部５５を前後方向で貫通するネジ孔５９，５９が設けられている。かかる構成を有する摺動部材１３は、図５、図９に示すように、前記上下の係合突部５６，５６が前記上下の係合溝５３，５３に嵌まり合った分離不能の係合状態で、前記摺動溝１５を左右方向Ｆ１で摺動できる。
【００５２】
又、前記嵌入固定溝３９の底部１１０には、図８〜９に示すように、断面Ｃ字状を呈するビスポケット７５を構成するＣ字状突条部７６が左右方向に延長する如く設けられている。そして、前記前方面部１２の下側部分１１１と前記後方面部９９の下側部分１１２との間には前記戸車収容溝部９６が構成されている。
【００５３】
前記取付部材１６は、本実施例においては図６〜７、図８〜９に示すように、前記摺動部材１３に連結される連結部１７を上部に具えた後の取付片１１３と、固定部２０を上部に具えた前の取付片１１５の下端１１６，１１７相互が、例えば水平の繋ぎ片１１９で連結されてなり、該前の取付片１１５の上端１２０の高さが前記後の取付片１１３の上端１２１の高さよりも低く形成されて、全体としてＵ字状を呈している。そして該固定部２０は、図５に示すように、前記出入口３の前記左右方向Ｆ１で見た一方側に存する一方側間仕切り部７の後側の壁面２１に固定され、或いは、前記出入口３が存する側に近い前のドア単体６ａの後面２２に固定される。
【００５４】
かかる構成を有する後の取付片１１３の前記連結部１７の左右側には、図６、図８、図１２、図１３に示すように、前記摺動部材１３に設けられている左右のネジ孔５９，５９と位置合わせしてビス挿通孔１２３，１２３が設けられており、該ビス挿通孔１２３，１２３を挿通する左右のビス１２５，１２５（図７、図９）を前記左右のネジ孔５９，５９に螺合し締め付けることによって、図７、図９に示すように、該連結部１７が該摺動部材１３に連結される。
【００５５】
前記後の取付片１１３の構成は、図６、図８に示すように、上下の横框部材１０，１１について同様構成とすることもできる。しかし本実施例においては図１〜２に示すように、前記後のドア単体６ｂに付設される把手１２６が、戸先側の上側に設けられる関係上、前記スライドドア５のスライド動作をより円滑化させるために、図１２（Ａ）に示すように、該後の取付片１１３を左右方向Ｆ１で長く形成し、連結部１７に、左右方向で４個のビス挿通孔１２３，１２３，１２３，１２３を設けている。然して本実施例においては図１２（Ｂ）に示すように、前記摺動部材１３の２個を左右方向で直列に配置し、４個のネジ孔５９，５９，５９，５９に該ビス挿通孔１２３を位置合わせし、４本のビス１２５を該ネジ孔５９に螺合し締め付けると、該連結部１７を該２個の摺動部材１３，１３に連結できる。
【００５６】
このように連結された状態で、図７、図９に示すように、前記第１、第２の線状係合部８２，６９を嵌合させ且つ前記第３、第４の線状係合部８５，７０を嵌合させることによって前記カバー片１９を前記上下の横框部材１０，１１に装着すると、前記後の取付片１１３が前記収容間隙９０に収容状態となる。前記のように、前記摺動部材１３を構成する前記矩形板部５５の前端面５７が前記入口５２から前方に若干突出する如く構成されているため、前記後の取付片１１３は前記前方面部１２に接触しない。
【００５７】
又、該連結部１７が前記摺動部材１３に固定された状態で、垂下状態にある前記後の取付片１１３が前記収容間隙９０に納められ、且つ図７、図９に示すように、前記繋ぎ片１１９が前記カバー片１９の下端２４の下方に位置する。この状態で前記摺動部材１３が図４に矢印で示す左右方向Ｆ１に摺動するに伴い、該後の取付片１１３が、前記前方面部１２、前記カバ−片１９と干渉することなく前記収容間隙９０を左右方向Ｆ１で移動できる。
【００５８】
この移動の範囲は、例えば図１４〜１５、図１６〜１７に示すように、前記摺動溝１５の溝底部１２７（図６、図８）の左右の端部１２９，１３０から内方に控えた部位にストッパ部１３１，１３１を設けておくことによって、前記摺動部材１３が該左右のストッパ部１３１，１３１に当接するまでの範囲に規制される。該左右のストッパ部１３１，１３１は上下の横框部材１０，１１の双方に設けてもよいのであるが、本実施例においては、該左右のストッパ部１３１，１３１を上の横框部材１０にのみ設けている。
【００５９】
前記カバー片１９をこのように装着して後、図４、図１０〜１１に示すように、前記左右の縦框部材２９，３０の上の端部分３１，３１間と下の端部分３２，３２（図４）間に前記上下の横框部材１０，１１を介装し、且つ、該縦框部材２９，３０と該横框部材１０，１１とを、前記上下の横框部材１０，１１に設けられている前記ビスポケット７５，７５（図６、図８）にねじ込まれるビス（図示を省略）を用いて連結する。これによって図１４〜１５、図１６〜１７に示すように、前記カバー片１９の両端部１３３，１３３が前記左右の縦框部材２９，３０の内面部１３５，１３５に当接されることにより抜け止めされる。かかることから前記カバー片１９を、何らビス固定することなく、上下の横框部材１０，１１に簡易且つ確実に固定状態となし得る。
【００６０】
前記左右の縦框部材２９，３０と前記上下の横框部材１０，１１とを前記のように矩形状に枠組し、且つその際に、図５に示すように、前記嵌入固定溝３９に前記面材３６の縁部分３７を嵌入しパッキン材４０，４０で固定することによって前記ドア単体６（図４）を構成できる。このように構成したドア単体６の２枚を、前記取付部材１６を介して連結することにより前記スライドドア５（図３）を構成できる。
【００６１】
図３、図１８は、前後のドア単体６ａ，６ｂを前記取付部材１６を介して連結した状態を示しており、後のドア単体６ｂの前記取付部材１６が、前記摺動溝１５の左端側１４０に位置された状態で、該取付部材１６の前記固定部２０が、図５に示すように、前記前のドア単体６ａの後面２２に固定されている。
【００６２】
この固定は、ビス固定やボルト固定によって行うことができる。本実施例においては、例えば図５、図１８〜１９に示すように、該後面２２で突設されたボルト軸１４２，１４２を前記固定部２０の左右部位に設けられているボルト孔１４１，１４１に挿通させ、該ボルト軸１４２，１４２に螺合するナット１４３，１４３を締め付けることによって行うことができる。該ナット１４３の螺締操作は、前記カバー片１９と前記前の取付片１１５との間に形成された固定用間隙１４５（図５、図１８）にスパナ等の工具を挿入して行うことができる。該固定用間隙１４５は、前記繋ぎ片１１９（図６、図８）の前後幅によって設定されるものであり、該スパナ等の工具を用いてナットを回転させるに必要な最小限度の幅（例えば、スパナの厚み程度の幅）に設定できる。
【００６３】
かかる固定によって構成されたスライドドア５の夫々のドア単体６ａ，６ｂの下部には、前記のように、床部２３に接して左右方向で移動可能な支持部材２５が設けられている（図５）。該支持部材２５は本実施例においては、各ドア単体６ａ，６ｂの前記戸車収容溝部９６，９６の左右側に納設された戸車２５ａ，２５ａ、２５ａ，２５ａを以て構成されている。該戸車２５ａは、図１〜２、図５に示すように、床面１４６の左右方向に延長して設けられたレール部材１４７の前後のレール溝１４９，１５０（前記床部２３に該当する）を左右方向で移動可能であり、該戸車２５ａによってドア単体６ａ，６ｂの重量が支持される。該前のレール溝１４９を、前記前のドア単体６ａの前記戸車２５ａが左右方向Ｆ１で走行でき、該後のレール溝１５０を、前記後のドア単体６ｂの前記戸車２５ａが左右方向Ｆ１で走行できる。
【００６４】
図１は、既設のローパ−ティション２７で区画された例えば金融相談室の区画空間２６に設けられている出入口３を、後付けで、前記スライドドア５で開閉可能としたスライドドア装着１を示すものである。該スライドドア装置１を構成するに際しては、例えば、２枚のドア単体６ａ，６ｂをスライド可能に連結してなるスライドドア５（図３）を予め工場で製作しておき、これを施工現場に搬入して前記開口部３に取り付けて行うことができる。
【００６５】
かかるスライドドア５は、前記摺動溝１５が上下の横框部材１０，１１と一体に設けられているため、特許文献１における場合とは異なり、前記のパネル側レールｆやドア側レールｋ等の特別な部品を必要とせず、それ故、これらの部品を所要に位置決めして固定（ビス固定、ボルト固定等）する作業が不要となる。従って該スライドドア５は、全体構造が簡素であり、生産性向上と製造コストの低減を期し得ることとなる。
【００６６】
図５、図１８〜１９には、該スライドドア５を構成する前記前のドア単体６ａを、前記取付部材１６を介して、前記左右方向Ｆ１で見た一方側に存する一方側間仕切り部７の後側の壁面２１に固定した状態が示されている。この固定は、図１８に示すように、前記前のドア単体６ａに設けられている前記取付部材１６を戸尻側に位置させ、この状態で該取付部材１６の前記固定部２０を該後側の壁面２１にボルト固定して行なわれている。かかる構成を有するスライドドア５が前記出入口３を開いた状態においては、図１〜２に示すように、前記前のドア単体６ａが前記一方側間仕切り部７の後側の壁面２１に略完全に重なる状態となされる。そして本実施例においては、図２に示すように、該前のドア単体６ａが、その戸尻側の端部１５１が前記床部２３に設けたストッパ部材１５２に当たって停止され、且つ、該後のドア単体６ｂが、その戸尻側の端部１６４が前記床部２３に設けたストッパ部材１６８に当たって停止されるようになされている。又この状態で、図１が示すように、前記後のドア単体６ｂに設けられている把手１２６が前記出入口３の一方の端部１５３から出入口３内に稍入り込んだ状態となるようになされている。これにより、前記スライドドア５を開く際に把手１２６を把持し易い。
【００６７】
前記固定部２０を前記後側の壁面２１に固定するに際しては、図１８、図１９（Ｃ）（Ｄ）に示すように、該取付部材１６を、前記前のドア単体６ａの戸尻側（前記摺動溝１５の左端側１４４）に位置させた状態で、前記後側の壁面２１で突設されたボルト軸１５５，１５５を前記固定部２０の左右部位に設けられているボルト孔１５６，１５６に挿通させ、該ボルト軸１５６に螺合するナット１４３，１４３を締め付けることによって行うことができる。該ナット１５７の螺締操作は、前記固定用間隙１４５に通したスパナ等の工具を用いて行うことができる。
【００６８】
図２０（Ｃ）は、前記スライドドア５が前記出入口３を閉じた状態を示すものであるが、このように閉じた状態とするには、前記把手１２６を把持して前記後のドア単体６ｂを図２０（Ａ）に矢印で示す右方向にスライドさせる。前記出入口３の上端２８（図１〜２）が開放状態にあって該スライドドア５の上端がフリーの状態にあるにも拘わらず、前記スライドドア５は、前記出入口３を閉じる方向に安定的にスライドできる。
【００６９】
これは、図５に示すように、該前後のドア単体６ａ，６ｂの上下の横框部材１０，１１の前方面部１２，１２が前記取付部材１６，１６を介して前記後側の壁面２１、前記前のドア単体６ａの後面２２に支持されており、且つ、該前後のドア単体６ａ，６ｂの戸先側が前記戸車２５ａ，２５ａを介して前記レール溝１４９，１５０（床部２３）に支持されており、スライドドア５が安定的に取り付けられているからである。そして、このスライドに伴い、前記上下の横框部材１０，１１に設けられている前記摺動溝１５，１５を、前記摺動部材１３，１３が左端側（戸尻側）１４０に向けて相対的に摺動する。そして図２０（Ｂ）、図２１（Ａ）に示すように、上の摺動部材１３ａが上の摺動溝１５の左端側に設けられている前記ストッパ部１３１に当った後は、前記前のドア単体６ａが前記閉じる方向に向けてスライドすることになる。そして、図２０（Ｃ）、図２１（Ｂ）に示すように、該後のドア単体６ｂの戸先側の先端に付設されている前記戸当り４８（図１０（Ｂ））が前記出入口３の他方の端部１５３ｂに当接することによって、該前のドア単体６ａが停止状態となる。この停止状態で、前記出入口３がスライドドア５で閉じられた状態となる。なお図２０（Ｃ）においては、図２１（Ａ）（Ｂ）に拡大して示すように、前記上のスライド部材１３，１３が共に、ドア単体６ａ，６ｂの戸尻側に設けられている前記ストッパ部１１３，１１３に当接状態にある。
【００７０】
この状態から該出入口３を開く場合は、前記後のドア単体６ｂの前記把手１２６を把持して前記スライドドア５を、図２２（Ａ）に矢印で示すように、該出入口３を開く方向にスライドさせる。この場合も、該出入口３を閉じる場合と同様の理由で、該スライドドア５は、前記出入口３を開く方向に安定的にスライドできる。このとき、前記上下の摺動部材１３，１３が前記上下の摺動溝１５，１５を、後のドア単体６ｂの戸先側に向けて相対的に摺動する。
【００７１】
その後、前記後のドア単体６ｂの上の摺動部材１３ａが、図２２（Ｂ）、図２３（Ａ）に示すように、上の摺動溝１５ａの戸先側に設けられているストッパ部１３１に当接することによって、前記前のドア単体６ａが、図２２（Ｂ）に矢印で示すように、出入口３を開く方向に向けてスライドすることになる。そして本実施例においては、図２２（Ｃ）に示すように、前記前のドア単体６ａが、その戸尻側の端部１５１が前記ストッパ部材１５２に当ることによって停止され、略同時に、前記後のドア単体６ｂが、その戸尻側の端部１６４が前記ストッパ部材１６８に当たって停止される。なお図２２（Ｃ）においては、図２３（Ｃ）に拡大して示すように、前記ドア単体６ａ，６ｂの前記上のスライド部材１３ａ，１３ａが、該ドア単体６ａ，６ｂの戸先側に設けられている前記ストッパ部１１３，１１３に当接状態にある。そしてこの状態で、図２２（Ｃ）に示すように、該前のドア単体６ａが前記左右方向Ｆ１で見た一方側に存する一方側間仕切り部７の後側９に重なった状態となる。且つ、前記後のドア単体６ｂが該前のドア単体６ａの後側になり合った状態となり、前記把手１２６が前記一方側間仕切り部７の一方の端部１５３から出入口３内に稍突出した状態となり、これにより、スライドドア５が該出入口３を開いた状態が得られる。
【００７２】
前記スライドドア５が前記出入口３を閉じた状態においては、図２０（Ｃ）に示すように、前記前のドア単体６ａが前記後側の壁面２１に接近した状態にあり、該前のドア単体６ａの戸尻側部分１６１と該後側の壁面２１との間の間隙１６２が小さい。又、前記前のドア単体６ａの戸先側部分１５９と前記後のドア単体６ｂの戸尻側部分１６０との間の間隙１６３も小さい。かかることから前記出入口３の出入り方向（前記前後方向Ｆ２）で見た全体厚さが特許文献１における全体厚さに比して小さい。又図２０（Ａ）に示すように、前記スライドドア５が前記出入口３を開いた状態における、重なり状態にある該スライドドア５の、前記後側の壁面２１からの突出量も小さい。かかることから、スライドドア装置１の全体をコンパクトに見栄えよく構成し得ることとなり、省スペース化を図り得ることとなる。
【００７３】
これは、前記上下の横框部材１０，１１に前記摺動溝１５が一体に設けられているために実現できることである。そして本実施例においては前記カバー片１９が前記摺動溝１５を正面側から覆うように装着されているため、前記摺動溝１５を摺動する摺動部材１３に手指が挟まる恐れもなく安全であり、又、該摺動溝１５に埃等が付着するのを防止できる。又、前記カバー片１９に覆い隠されて前記摺動部材１３の摺動状態が目視不能となるため、摺動構造部分の見栄えを向上させ得る。
【００７４】
又、前記スライドドア５が前記出入口３を閉じた状態における、前記前のドア単体６ａの戸尻側部分１６１と前記後側の壁面２１との間の間隙１６２が小さく且つ、前のドア単体６ａの戸先側部分１５９と前記後のドア単体６ｂの戸尻側部分１６０との間の間隙１６３が小さいことから、特許文献１における場合とは異なり、該間隙１６２，１６３を通して区画空間２６の内部が見えにくい。
【実施例２】
【００７５】
図２４〜２６は、床面から天井までを仕切るハイパーティションとして構成された間仕切り２の所要部位に設けられた開口部１６５の下端側部分１６５ａ（本発明にいう出入口３の一態様）をスライドドア５で開閉可能とした場合の一例を示すものである。例えば、保育園の間仕切りを構成する引戸１６６の内の端部に位置する１枚の引戸１６６ａを図２４（Ａ）、図２６（Ａ）に示すように、開いて形成した上下に長い開口部１６５の下側の５０〜６０ｃｍ程度の部分（本発明にいう出入口３の一態様をなす前記下端側部分）１６５ａをスライドドア５で開閉可能とした場合を示している。
【００７６】
本実施例に係る発明の目的は、夏場の暑いときに一部の引戸を開いて保育室の空調を図る場合に、引戸を開いて開口部を形成しただけでは赤ん坊が這って室外に出る恐れがあるため、赤ん坊は通れないが大人は容易に出入できるスライドドア装置１を構成することにある。そのために、１枚の引戸を開いて形成された前記開口部１６５の下側の５０〜６０ｃｍ程度の高さ部分、例えば５０ｃｍ程度の高さ部分（出入口３）にスライドドア５を設けることとしている。
【００７７】
該スライドドア５は、図２４〜２５に示すように、その背丈が５０ｃｍ程度である他は実施例１で説明したところと同様であり、２枚のドア単体６ａ, ６ｂ相互が左右方向Ｆ１でスライド可能に構成されている。該スライドドア５の、前記出入口３に近い前のドア単体６ａを、図２６（Ａ）に示すように、開いた前記引戸１６６ａの後側の壁面２１（本発明でいう一方側間仕切り部７の後側の壁面２１）に前記取付部材１６を介して固定してなる。そして該２枚のドア単体６ａ, ６ｂの夫々の下部の左右側に、床面１４６に設けたレール部材１４７を左右方向Ｆ１で移動可能な戸車２５ａを設けてなる。これによってスライドドア５は安定状態で左右方向でスライドでき、図２６（Ａ）に示すように、前記開口部１６５の下端側部分１６５ａ（出入口３）を閉じることができ、又、例えば図２６（Ｂ）に示すように、該下端側部分１６５ａ（出入口３）を開くことができる。本実施例においては、前記把手１２６を縦框部材を凹設して設けているため、図２６（Ｂ）に示すように２枚のドア単体６ａ，６ｂを、前記出入口３に食み出ないように前記一方側間仕切り部７の後側の壁面２１に重なり状態に納めることができる。そして、前記スライドドア５が該下端側部分１６５ａ（出入口３）を閉じた状態で、該スライドドア５がロックされるようになされている。
【００７８】
然して該スライドドア５を閉じた状態においては、これに阻止されて赤ん坊は室外に出ることができず、一方大人は、該スライドドア５を跨いで開口部１６５を出入できる。
【実施例３】
【００７９】
図２７は、前記出入口３の左右の端部側の夫々に前記と同様構成のスライドドア５，５を設けた場合を示すものである。本実施例においては、ローパーティションとしての間仕切り２の所要部位に設けられた出入口３に応用されている。夫々のスライドドア５，５は前記と同様に２枚のドア単体６ａ, ６ｂを左右方向Ｆ１でスライド可能に連結して構成されており、該スライドドア５，５が該出入口３を閉じた状態で、両スライドドア５，５の内の前のドア単体６ａの戸尻部分１７０，１７０で、前記出入口３の両側に存する一方側間仕切り部７，７に前記取付部材１６，１６を介して連結されている。以下においては便宜上、一方側間仕切り部７と他方側間仕切り部８と区別する。そして該両スライドドア５，５は、前記出入口３を閉じる方向に或いは開く方向にスライドでき、図２７（Ｂ）に示すように、閉じる方向にスライドして該両スライドドア５，５の戸先端部１７１，１７１相互が当接状態となる。又、該両スライドドア５，５が開く方向にスライドして、前のドア単体６ａが前記一方側間仕切り部７、他方側間仕切り部８の後側の壁面２１，２１に重なり合った状態で、図２７（Ａ）が示すように、左右のスライドドア５，５の後のドア単体６ａ, ６ｂの戸先側に設けられている把手１２６，１２６が前記出入口３の内側に稍入り込んだ状態で位置する。
【実施例４】
【００８０】
本発明は、前記実施例で示したものに限定されるものでは決してなく、「特許請求の範囲」の記載内で種々の設計変更が可能であることはいうまでもない。その一例を挙げれば次のようである。
【００８１】
(1) 例えば養護老人施設において、間仕切りの所要部位に設けられた出入口３に、養護老人の腰高程度の高さ（例えば７０ｃｍ程度の高さ）を有するスライドドア５を前記と同様にして設けることもできる。かかる構成を有するスライドドア装置１によるときは、該スライドドア５で出入口３を閉じることにより、養護老人が管理区域に不用意に立ち入るのを防止できることになる。
【００８２】
(2) 本発明に係るスライドドア装置１は、１枚のドア単体６を以てなるスライドドア５を用いて構成されることもある。図２８、図２９はその一例を示すものであり、スライドドア５が１枚であることの他は前記実施例で説明したところと同様であるため、前記と同様箇所には同一の符号を付して、その詳細な説明を省略する。
【００８３】
(3) 本発明に係るスライドドア装置１において、前記スライドドア５の下部２４に設けられる、床部２３に接して左右方向で移動可能な支持部材２５は、前記した戸車の他、転動しない樹脂ブロック片を用いて構成し、該樹脂ブロック片の下面が該床部２３に接して左右方向で移動可能となるように構成してもよい。又前記床部２３は、前記したレール部材１４７を床面１４６に固定して構成されることの他、床面その自体であることもある。
【００８４】
(4) 前記支持部材２５を戸車２５ａとして構成する場合、前記レ−ル部材１４７は、該戸車２５ａを走行させるための前記レール溝１４９，１５０としての床部２３の他、突条レ−ルとしての床部２３を具える如く構成してもよい。
【００８５】
(5) 前記スライドドア５が前記出入口３を閉じる方向に或いは開く方向に無理なくスライドできるならば、前記支持部材２５を省略してもよい。
【００８６】
(6) 本発明に係るスライドドア装置１を構成する前記スライドドア５は、複数枚のドア単体６を以て構成できるものであり、前記した２枚のドア単体６ａ, ６ｂを以て構成されることの他、例えば３枚や４枚のドア単体６を以て構成されることもある。図３０〜３１は、３枚のドア単体６，６，６を以てスライドドア５を構成した状態を示している。この場合におけるスライドドア５の構成は、該複数枚のドア単体の内の端部に位置する端部のドア単体６Ａに設けられている取付部材１６の前記固定部２０が、前記出入口３の前記左右方向Ｆ１で見た一方側に存する一方側間仕切り部７の後側の壁面２１に固定される一方、左右隣り合うドア単体６，６の内の前記出入口３が存する側から遠いドア単体に連結されている前記取付部材１６の前記固定部２０は、前記出入口３が存する側に近いドア単体の後面２２に固定されている。
【００８７】
(7) 前記上下の横框部材１０，１１に、前記摺動溝１５を正面側から覆う如く装着されるカバー片１９は、前記したスライド方式で装着されることの他、けんどん式で固定されたり、ビス固定等によって固定されることもある。
【００８８】
(8) 前記上下の框部材１０，１１は前記した金属製の他、樹脂製とされることもあり、或いは木製本体に金属板を固定して構成することも可能である。
【００８９】
(9) 前記摺動溝１５に前記摺動部材１３を摺動可能に装着する手段としては、前記したように、該摺動溝１５の入口５２を幅狭に構成することにより該摺動部材１３が該摺動溝１５に対して分離不能の係合状態となすことの他、例えば図３２に示すように、該摺動溝１５の底面部１７２で突出するＴ字状ガイドレール１７３を左右方向Ｆ１で延長する如く設け、前記摺動部材１３を該Ｔ字状ガイドレール１７３に沿って分離不能の係合状態で摺動させるように構成するもの等、摺動部材１３を分離不能の係合状態で該摺動溝１５において摺動可能とする各種手段を採用できる。
【００９０】
(10)図３３は、前記上下の框部材１０，１１に設けられた突出部５０の下面４７に条溝８２ａとしての第１の線状係合部８２を設けると共に、前記カバ−片１９に設けられている前記スライド部８０の上面８１に、該条溝８２ａと略密接状態でスライド可能に嵌合し得る突条６９ａとしての第２の線状係合部６９を設ける一方、前記上下の框部材１０，１１の前記突出部５０の下方に位置する部分の前面５１に条溝８５ａとしての第３の線状係合部８５を設けると共に、前記スライド部８０の後面８３に、該条溝８５ａと略密接状態でスライド可能に嵌合し得る突条７０ａとしての第４の線状係合部７０を設けた場合を示している。
【００９１】
又、前記スライド部８０の上面８１に条溝８２ａとしての第１の線状係合部８２を設ける一方、前記スライド部８０の前記後面８３に突条７０ａとしての第４の線状係合部７０が設けられることもある。
【００９２】
(11)複数枚のドア単体６を以て構成された前記スライドドア５の端部に位置するドア単体は、前記出入口３の左右方向で見た他方側に存する他方側間仕切り部８（図２７）の後側壁面２１に取付部材１６を介して取り付けられてもよい。
【００９３】
(12)図３４は、図１に示した場合とは逆に、前記一方側間仕切り部７の前記後側の壁面２１を前記区画空間２６の外側に設定した場合におけるスライドドア装置１を示している。この場合も実施例１における場合と同様に、前記出入口３の出入方向が前後方向とされているが、前記出入口３に面する側が前、その逆側が後とされている。
【００９４】
(13)前記スライドドア５が複数枚のドア単体６を用いて構成される場合、該スライドドア５を、前記出入口３を閉じる方向に或は開く方向に、支障なくスライドさせ得る限り、前記支持部材２５は、全てのドア単体６の下部に設けられることの他、先頭に位置するドア単体の下部にのみ設けられることもある。又、ドア単体６の下部２４に設ける支持部材２５は、該下部２４の所要部位に設けてよく、例えば、ドア単体６の戸先側にのみ設けることもある。
【００９５】
(14)前記スライド部８０の前記上面８１は水平面とは限らず、前記後面８３は垂直面とは限らない。
【００９６】
(15)装着されたカバー片１９の安定性を向上させるために、例えば図３５に示すように、前記上下の横框部材１０，１１（例えば上の横框部材１０）の前方面部１２の両端側において（例えば、前記左右のストッパ部１３１，１３１の外側において）、例えば１０ｍｍ程度の左右幅を有するスポンジ片１３６，１３６を圧縮状態で介在させるのがよい。これによって、前記第１、第２の線状係合部８２，６９との嵌合部分１３７及び前記第３、第４の線状係合部８５，７０との嵌合部分１３９に若干のがたつきがある場合であっても、スライドドア５のスライド中におけるカバー片１９の装着部分で発生する振動を、該左右両側に配置されている該スポンジ片１３６，１３６によって防止できる。なお前記スポンジ片１３６に代えて、軟質ゴム等の弾性部材を用いてもよい。
【００９７】
(16)上下の横框部材に前記カバ−片が装着されない場合は、前記摺動部材１３に連結される取付部材１６の構成の自由度が高まる。
【００９８】
(17)前記摺動溝を正面側から覆うカバ−片を左右方向でスライド可能に装着するための構成は、前記した第１の線状係合部と第２の線状係合部、前記第３の線状係合部と前記第４の線状係合部とを略密接状態でスライド可能に嵌合させる構成の他、該カバ−片を左右方向でスライド可能に嵌合させ得る各種の公知手段を採用できる。
【００９９】
(18)前記突出部５０は、所要の筒状形態や所要の板状形態等として構成できる。
【０１００】
(19)本発明において、「出入口３が開口された状態でスライドドア５が前記一方側間仕切り部７の後側に重なり合う」とは、例えば図２６（Ｂ）に示すように完全に重なり合うことの他、例えば図２や図２０（Ａ）に示すように部分的にずれて重なり合うことも含む。
【符号の説明】
【０１０１】
１  スライドドア装置
２  間仕切り
３  出入口
５  スライドドア
６  ドア単体
７  一方側間仕切り部
９  後側
１０  上の横框部材
１１  下の横框部材
１２  前方面部
１３  摺動部材
１５  摺動溝
１６  取付部材
１７  連結部
１９  カバ−片
２０  固定部
２１  後側の壁面
２２  後面
２３  床部
２５  支持部材
２５ａ  戸車
２６  区画空間
２７  ロ−パ−ティション
２８  出入口の上端
２９  左の縦框部材
３０  右の縦框部材
３１  上の端部分
５０  突出部
６９  第２の線状係合部
７０  第４の線状係合部
８２  第１の線状係合部
８５  第３の線状係合部
９０  収容間隙
１２６  把手
１４３  ナット
１６２  間隙
１６３  間隙